(57)【要約】  本発明は、シングルパス方式及び高速での多色印刷において、濃度ムラ発生が低減されるとともに各色インク間でのインク滲みが少ない画像を提供する、インクジェット記録装置及びインクジェット記録方法である。当該装置及び方法は、記録媒体上に吐出後照射された光線により半硬化した第１のインクの上に吐出された第２のインクのドット半径をＲとし、その第２のインクをその記録媒体上に直接に吐出させたときのドット半径をＲ０とすると、条件式０．６≦Ｒ／Ｒ０≦０．９を満足する。
2009157262.tif 000002
【特許請求の範囲】
【請求項１】
記録媒体を搬送方向に搬送する搬送部と、
それぞれ異なる色の活性エネルギー線硬化型インクを前記記録媒体に吐出する複数のフルライン型のインクジェットヘッドを前記搬送方向に配列したヘッド部と、
前記インクジェットヘッド間に配置され、前記搬送方向の上流側にあるインクジェットヘッドから吐出されて前記記録媒体上に着弾した第１のインクの上に前記搬送方向の下流側にあるインクジェットヘッドから吐出された第２のインクが着弾する前に、前記第１のインクを半硬化させる活性エネルギー線を照射する半硬化光源と、
を備えるインクジェット記録装置であって、
記録媒体上に吐出されて半硬化した第１のインクの上に吐出された第２のインクのドット半径をＲとし、前記第２のインクを前記記録媒体上に直接に吐出させたときのドット半径をＲ０としたとき、以下の条件式（１）を満足することを特徴とするインクジェット記録装置。
０．６≦Ｒ／Ｒ０≦０．９                                （１）
【請求項２】
前記活性エネルギー線の照射エネルギー量が各々異なる複数の領域を有する前記第１のインクの画像の上に前記第２のインクのドット画像を形成させた重ね画像の判定プリントを出力する判定プリント出力手段と、
前記判定プリントに使用された複数種類の照射エネルギー量の最小値と最大値の間で、前記条件式（１）を満足するように記録時に参照される１つの照射エネルギー量を選択して設定する照射エネルギー量設定手段と、
を備えることを特徴とする請求項１に記載のインクジェット記録装置。
【請求項３】
前記判定プリントは前記搬送方向に前記複数の領域を配置したパターンであり、判定プリント出力手段は、記録媒体を搬送させながら前記照射エネルギー量を変更して１パスで前記判定プリントを出力させることを特徴とする請求項２に記載のインクジェット記録装置。
【請求項４】
前記照射エネルギー量設定手段は、前記判定プリントを読み取って得られた前記第２のインクのドット半径Ｒのデータに基づいて、前記照射エネルギー量を設定することを特徴とする請求項２または３に記載のインクジェット記録装置。
【請求項５】
前記活性エネルギー線硬化型インクとしてカチオン重合系の紫外線硬化型インクを用い、２５℃における粘度が２５ｍＰａ・ｓ以上５００ｍＰａ・ｓ以下であるとともに、吐出される時の粘度が８ｍＰａ・ｓ以上２０ｍＰａ・ｓ以下であることを特徴とする請求項１〜４の何れか１項に記載のインクジェット記録装置。
【請求項６】
前記活性エネルギー線の照射エネルギー量が５ｍＪ／ｃｍ２〜５０ｍＪ／ｃｍ２の範囲内に設定されていることを特徴とする請求項１〜５の何れか１項に記載のインクジェット記録装置。
【請求項７】
前記ヘッド部は、それぞれ異なる色の活性エネルギー線硬化型インクを前記記録媒体に吐出する３つ以上のフルライン型のインクジェットヘッドを前記搬送方向に配列したものであり、
前記判定プリント出力手段は、前記半硬化光源に隣接して前記搬送方向の上流側にあるインクジェットヘッドから吐出される第１のインクと、前記半硬化光源に隣接して前記搬送方向の下流側にあるインクジェットヘッドから吐出される第２のインクを用いて前記判定プリントを出力させることを特徴とする請求項２〜６の何れか１項に記載のインクジェット記録装置。
【請求項８】
前記ヘッド部は、それぞれ異なる色の活性エネルギー線硬化型インクを前記記録媒体に吐出する３つ以上のフルライン型のインクジェットヘッドを前記搬送方向に配列したものであり、
前記半硬化光源は、各色の前記インクジェットヘッド間にそれぞれ配置され、
前記判定プリント出力手段は、各半硬化光源毎に、半硬化光源に隣接して前記搬送方向の上流側にあるインクジェットヘッドから吐出される第１のインクと、半硬化光源に隣接して前記搬送方向の下流側にあるインクジェットヘッドから吐出される第２のインクを用いて判定プリントを出力させ、
照射エネルギー量設定手段は、各半硬化光源毎に前記判定プリントに使用された複数種類の照射エネルギー量の最小値と最大値の間で、前記条件式（１）を満足するように１つの照射エネルギー量を選択して設定することを特徴とする請求項２〜７の何れか１項に記載のインクジェット記録装置。
【請求項９】
前記記録媒体はインクを実質的に非吸収性の記録媒体であることを特徴とする請求項１〜８の何れか１項に記載のインクジェット記録装置。
【請求項１０】
それぞれ異なる色の活性エネルギー線硬化型インクを前記記録媒体に吐出する複数のフルライン型のインクジェットヘッドを用いて、前記記録媒体上に第１のインクを吐出させた後、前記記録媒体上に着弾した第１のインクを半硬化させる活性エネルギー線を照射し、半硬化した前記第１のインクの上に第２のインクを吐出させて着弾させて画像記録を行うインクジェット記録方法であって、
記録媒体上に吐出されて半硬化した第１のインクの上に吐出された第２のインクのドット半径をＲとし、前記第２のインクを前記記録媒体上に直接に吐出させたときのドット半径をＲ０としたとき、以下の条件式（１）を満足することを特徴とするインクジェット記録方法。
０．６≦Ｒ／Ｒ０≦０．９                                （１）
【請求項１１】
前記活性エネルギー線の照射エネルギー量が各々異なる複数の領域を有する前記第１のインクの画像の上に前記第２のインクのドット画像を形成させた重ね画像の判定プリントを出力する判定プリント出力工程と、
前記判定プリントに使用された複数種類の照射エネルギー量の最小値と最大値の間で、前記条件式（１）を満足するように記録時に参照される１つの照射エネルギー量を選択して設定する照射エネルギー量設定工程と、
前記設定された照射エネルギー量で前記画像記録を行う工程と、
を有することを特徴とする請求項１０に記載のインクジェット記録方法。
【請求項１２】
前記判定プリントは、前記記録媒体の搬送方向に前記複数の領域を配置したパターンであり、前記判定プリント出力工程は、記録媒体を搬送させながら前記照射エネルギー量を変更して１パスで前記判定プリントを出力することを特徴とする請求項１１に記載のインクジェット記録方法。
【請求項１３】
前記照射エネルギー量設定工程は、前記判定プリントを読み取って得られた前記第２のインクのドット半径Ｒのデータに基づいて、前記照射エネルギー量を設定することを特徴とする請求項１１または１２に記載のインクジェット記録方法。
【請求項１４】
前記活性エネルギー線硬化型インクとしてカチオン重合系の紫外線硬化型インクを用い、２５℃における粘度が２５ｍＰａ・ｓ以上５００ｍＰａ・ｓ以下であるとともに、吐出される時の粘度が８ｍＰａ・ｓ以上２０ｍＰａ・ｓ以下であることを特徴とする請求項１０〜１３の何れか１項に記載のインクジェット記録方法。
【請求項１５】
前記活性エネルギー線の照射エネルギー量を５ｍＪ／ｃｍ２〜５０ｍＪ／ｃｍ２の範囲内に設定することを特徴とする請求項１０〜１４の何れか１項に記載のインクジェット記録方法。
【請求項１６】
前記画像記録は、３色以上の活性エネルギー線硬化型インクを用いて行うものであり、
前記判定プリント出力工程は、前記半硬化の処理の直前に実施される画像記録に用いられる第１のインクと、直後に実施される画像記録に用いられる第２のインクを用いて前記判定プリントを出力することを特徴とする請求項１１〜１５の何れか１項に記載のインクジェット記録方法。
【請求項１７】
前記画像記録は、３色以上の活性エネルギー線硬化型インクを用いて行うものであり、
前記半硬化の処理は、各色の前記画像記録間にそれぞれ実施し、
前記判定プリント出力工程は、各半硬化の処理毎に、半硬化の処理の直前に実施される画像記録に用いられる第１のインクと、直後に実施される画像記録に用いられる第２のインクを用いて判定プリントを出力させ、
照射エネルギー量設定工程は、各半硬化の処理毎に前記判定プリントに使用された複数種類の照射エネルギー量の最小値と最大値の間で、前記条件式（１）を満足するように１つの照射エネルギー量を選択して設定することを特徴とする請求項１１〜１６の何れか１項に記載のインクジェット記録方法。
【請求項１８】
前記記録媒体はインクを実質的に非吸収性の記録媒体であることを特徴とする請求項１０〜１７の何れか１項に記載のインクジェット記録方法。
【発明の詳細な説明】
【技術分野】
【０００１】
本発明はインクジェット記録装置及びインクジェット記録方法に係わり、特には活性エネルギー線を照射する半硬化光源を備えたシングルパス方式のインクジェット記録装置であって、エネルギー線硬化反応を使用して多色印刷することが可能なインクジェット記録装置及びインクジェット記録方法に関する。
【背景技術】
【０００２】
近年、インクジェット記録方式は、グラビア印刷方式より簡便・安価に画像を作成することができるため、写真・各種印刷・マーキング・カラーフィルターといった特殊印刷等の様々な印刷分野に応用されてきている。特に、インクジェット記録方式では、微細なドットを吐出・制御するインクジェット記録装置と、色再現域・耐久性・吐出適性等を改善したインクと、インク吸収性・色材発色性・表面光沢等を飛躍的に向上させた専用紙とを組み合わせることで、銀塩写真に匹敵する画質を得ることも可能となっている。【０００３】
一般にインクジェット記録装置には、搬送方向に搬送される記録媒体上において搬送方向に対して略直交する走査方向に並んだ複数の吐出口が形成されたラインヘッドからインクを吐出することにより画像記録を行うシングルパス方式と、キャリッジに搭載した記録ヘッドを走査方向に移動させて記録ヘッドの移動中に記録ヘッドの吐出口からインクを吐出することにより画像記録を行うスキャン方式がある。【０００４】
スキャン方式は、家庭用インクジェット記録装置に特に広く用いられ何回かヘッドを往復させて描画をする方法であるが、一般的に低速で生産性が低い。そこで、産業用途の分野においては、最近は高速で生産性に優れるシングルパス方式が注目を浴びつつある。【０００５】
しかしながら、上述したようにシングルパス方式は、一回の走査（ヘッドと記録媒体の相対移動）でプリントする方式で、高速で印刷でき生産性に優れるが、そのときの各ノズルから吐出されたインクが、搬送やノズルの精度の影響で印刷後の濃度ムラが画質に大きく影響してくる。【０００６】
また、今まではシングルパスは１色の印刷で、例えばラベルのモノクロ印刷などが生産されていたが、市場が拡大するにつれて、よりカラフルで高画質な多色印刷が市場から要求されつつある。【０００７】
しかしシングルパス方式で多色印刷をインクジェットで行う場合は、インクの吐出、その後の定着または固化が間に合わず、そのため異なるインク色間でのインクが混ざったりするという、「滲み」が発生してしまうということがわかってきた。つまりシングルパス方式のインクジェットで多色印刷をするには濃度ムラの発生を抑える為に液滴を広げつつ、しかし濃度ムラを消すために液滴を広げすぎることなく滲みの抑制も行うという、相反する性能を制御して高精細な画像を印刷できるように工夫する必要がある。【０００８】
従来技術として、特許文献１には、濃度ムラの発生原因の１つであるインクの凝集を抑えるためにシングルパスの方式で印刷の解像度とインク吸収する受容層媒体に衝突した際のドットのドットサイズと拡散係数とをある関係に規定しインクが凝集しないよう工夫した技術が開示されているが、やはり実質的に非吸収性の記録媒体では濃度ムラが発生し、多色印刷にこれを用いた場合には滲みも大きく発生し役に立たなかった。【０００９】
インクジェット記録装置は、インクの種類で分類することができ、従来の室温で固形のワックスインクを用いる相変化インクジェット方式、速乾性の有機溶剤を主体としたインクを用いるソルベント系インクジェット方式、紫外線の被照射により硬化する紫外線硬化型インクを用いる紫外線硬化型インクジェット方式等がある。【００１０】
これらの中でも、紫外線硬化型インクジェット方式は、専用紙以外にも速乾性・インク吸収性の無い記録媒体に記録できる点で注目されシングルパス方式に広く用いられ始めている。【００１１】
特許文献２には、これらの利点を用いて活性エネルギー線硬化型インクと活性エネルギー線を照射する半硬化光源を備えたライン型のインクジェットの技術が開示されている。この技術では記録媒体上に先に着弾したインク液滴のドット表面を活性エネルギー線によって半硬化させた後に、次に同色のインク液滴を着弾させた後に重なるようにドットサイズ及びドット間ピッチを調整して液滴同士の半径が重なるようにすることで濃度ムラの欠陥を低減させるように試みているが、これではやはり高速でかつ多色印刷のシングルパス方式を組み合わせた場合には、順番に印刷される各インクの間での滲みを抑えることはできず問題であったし、重なった部分での濃度ムラも、この技術ではやはり観察され実用に耐えなかった。【００１２】
一方、特許文献３には、活性エネルギー線の照射により硬化するインクを記録媒体に吐出するときに、あらかじめ記録媒体上に下塗り液を付与してその後に半硬化させる工程を新たに加えることで、半硬化された下塗り液上のインクの滲みを低減しようとする試みが開示されている。しかし、この方法では、新たに下塗り液を塗布する工程が必要なので生産性に劣る。また、実際の市場では該下塗り液と多種多様の硬化型インクが使用されるのであるが、インクとの相性が悪い場合には、凝集などの化学反応も発生し、下塗り液の処方変更が必要な場合があったし、やはり滲みもすべてでうまく抑制できるわけではなく、市場での生産性を含めた実際の使用には耐えられなかった。
【先行技術文献】
【特許文献】
【００１３】
【特許文献１】特開２００４−１１４６８８号公報
【特許文献２】特開２００６−２４８０４２号公報
【特許文献３】特開２００８−２３９８０号公報
【発明の概要】
【発明が解決しようとする課題】
【００１４】
本発明の課題は、シングルパス方式で高速での多色印刷する場合においても、濃度ムラの発生を低減しつつ、各色インク間でのインク滲みが少なく画質劣化の少ない良好な画像を高速で記録することが可能なインクジェット記録装置及びインクジェット記録方法を提供することである。
【課題を解決するための手段】
【００１５】
上記課題は、以下の各発明によって解決される。【００１６】
１．記録媒体を搬送方向に搬送する搬送部と、
それぞれ異なる色の活性エネルギー線硬化型インクを前記記録媒体に吐出する複数のフルライン型のインクジェットヘッドを前記搬送方向に配列したヘッド部と、
前記インクジェットヘッド間に配置され、前記搬送方向の上流側にあるインクジェットヘッドから吐出されて前記記録媒体上に着弾した第１のインクの上に前記搬送方向の下流側にあるインクジェットヘッドから吐出された第２のインクが着弾する前に、前記第１のインクを半硬化させる活性エネルギー線を照射する半硬化光源と、
を備えるインクジェット記録装置であって、
記録媒体上に吐出されて半硬化した第１のインクの上に吐出された第２のインクのドット半径をＲとし、前記第２のインクを前記記録媒体上に直接に吐出させたときのドット半径をＲ０としたとき、以下の条件式（１）を満足することを特徴とするインクジェット記録装置。
０．６≦Ｒ／Ｒ０≦０．９                                      （１）
２．前記活性エネルギー線の照射エネルギー量が各々異なる複数の領域を有する前記第１のインクの画像の上に前記第２のインクのドット画像を形成させた重ね画像の判定プリントを出力する判定プリント出力手段と、
前記判定プリントに使用された複数種類の照射エネルギー量の最小値と最大値の間で、前記条件式（１）を満足するように記録時に参照される１つの照射エネルギー量を選択して設定する照射エネルギー量設定手段と、
を備えることを特徴とする前記１に記載のインクジェット記録装置。【００１７】
３．前記判定プリントは前記搬送方向に前記複数の領域を配置したパターンであり、判定プリント出力手段は、記録媒体を搬送させながら前記照射エネルギー量を変更して１パスで前記判定プリントを出力させることを特徴とする前記２に記載のインクジェット記録装置。【００１８】
４．前記照射エネルギー量設定手段は、前記判定プリントを読み取って得られた前記第２のインクのドット半径Ｒのデータに基づいて、前記照射エネルギー量を設定することを特徴とする前記２または３に記載のインクジェット記録装置。【００１９】
５．前記活性エネルギー線硬化型インクとしてカチオン重合系の紫外線硬化型インクを用い、２５℃における粘度が２５ｍＰａ・ｓ以上５００ｍＰａ・ｓ以下であるとともに、吐出される時の粘度が８ｍＰａ・ｓ以上２０ｍＰａ・ｓ以下であることを特徴とする前記１〜４の何れか１項に記載のインクジェット記録装置。【００２０】
６．前記活性エネルギー線の照射エネルギー量が５ｍＪ／ｃｍ２〜５０ｍＪ／ｃｍ２の範囲内に設定されていることを特徴とする前記１〜５の何れか１項に記載のインクジェット記録装置。【００２１】
７．前記ヘッド部は、それぞれ異なる色の活性エネルギー線硬化型インクを前記記録媒体に吐出する３つ以上のフルライン型のインクジェットヘッドを前記搬送方向に配列したものであり、
前記判定プリント出力手段は、前記半硬化光源に隣接して前記搬送方向の上流側にあるインクジェットヘッドから吐出される第１のインクと、前記半硬化光源に隣接して前記搬送方向の下流側にあるインクジェットヘッドから吐出される第２のインクを用いて前記判定プリントを出力させることを特徴とする前記２〜６の何れか１項に記載のインクジェット記録装置。【００２２】
８．前記ヘッド部は、それぞれ異なる色の活性エネルギー線硬化型インクを前記記録媒体に吐出する３つ以上のフルライン型のインクジェットヘッドを前記搬送方向に配列したものであり、
前記半硬化光源は、各色の前記インクジェットヘッド間にそれぞれ配置され、
前記判定プリント出力手段は、各半硬化光源毎に、半硬化光源に隣接して前記搬送方向の上流側にあるインクジェットヘッドから吐出される第１のインクと、半硬化光源に隣接して前記搬送方向の下流側にあるインクジェットヘッドから吐出される第２のインクを用いて判定プリントを出力させ、
照射エネルギー量設定手段は、各半硬化光源毎に前記判定プリントに使用された複数種類の照射エネルギー量の最小値と最大値の間で、前記条件式（１）を満足するように１つの照射エネルギー量を選択して設定することを特徴とする請求項２〜７の何れか１項に記載のインクジェット記録装置。【００２３】
９．前記記録媒体はインクを実質的に非吸収性の記録媒体であることを特徴とする前記１〜８の何れか１項に記載のインクジェット記録装置。【００２４】
１０．それぞれ異なる色の活性エネルギー線硬化型インクを前記記録媒体に吐出する複数のフルライン型のインクジェットヘッドを用いて、前記記録媒体上に第１のインクを吐出させた後、前記記録媒体上に着弾した第１のインクを半硬化させる活性エネルギー線を照射し、半硬化した前記第１のインクの上に第２のインクを吐出させて着弾させて画像記録を行うインクジェット記録方法であって、
記録媒体上に吐出されて半硬化した第１のインクの上に吐出された第２のインクのドット半径をＲとし、前記第２のインクを前記記録媒体上に直接に吐出させたときのドット半径をＲ０としたとき、以下の条件式（１）を満足することを特徴とするインクジェット記録方法。
０．６≦Ｒ／Ｒ０≦０．９                                      （１）
１１．前記活性エネルギー線の照射エネルギー量が各々異なる複数の領域を有する前記第１のインクの画像の上に前記第２のインクのドット画像を形成させた重ね画像の判定プリントを出力する判定プリント出力工程と、
前記判定プリントに使用された複数種類の照射エネルギー量の最小値と最大値の間で、前記条件式（１）を満足するように記録時に参照される１つの照射エネルギー量を選択して設定する照射エネルギー量設定工程と、
前記設定された照射エネルギー量で前記画像記録を行う工程と、
を有することを特徴とする前記１０に記載のインクジェット記録方法。【００２５】
１２．前記判定プリントは、前記記録媒体の搬送方向に前記複数の領域を配置したパターンであり、前記判定プリント出力工程は、記録媒体を搬送させながら前記照射エネルギー量を変更して１パスで前記判定プリントを出力することを特徴とする前記１１に記載のインクジェット記録方法。【００２６】
１３．前記照射エネルギー量設定工程は、前記判定プリントを読み取って得られた前記第２のインクのドット半径Ｒのデータに基づいて、前記照射エネルギー量を設定することを特徴とする前記１１または１２に記載のインクジェット記録方法。【００２７】
１４．前記活性エネルギー線硬化型インクとしてカチオン重合系の紫外線硬化型インクを用い、２５℃における粘度が２５ｍＰａ・ｓ以上５００ｍＰａ・ｓ以下であるとともに、吐出される時の粘度が８ｍＰａ・ｓ以上２０ｍＰａ・ｓ以下であることを特徴とする前記１０〜１３の何れか１項に記載のインクジェット記録方法。【００２８】
１５．前記活性エネルギー線の照射エネルギー量を５ｍＪ／ｃｍ２〜５０ｍＪ／ｃｍ２の範囲内に設定することを特徴とする前記１０〜１４の何れか１項に記載のインクジェット記録方法。【００２９】
１６．前記画像記録は、３色以上の活性エネルギー線硬化型インクを用いて行うものであり、
前記判定プリント出力工程は、前記半硬化の処理の直前に実施される画像記録に用いられる第１のインクと、直後に実施される画像記録に用いられる第２のインクを用いて前記判定プリントを出力することを特徴とする前記１１〜１５の何れか１項に記載のインクジェット記録方法。【００３０】
１７．前記画像記録は、３色以上の活性エネルギー線硬化型インクを用いて行うものであり、
前記半硬化の処理は、各色の前記画像記録間にそれぞれ実施し、
前記判定プリント出力工程は、各半硬化の処理毎に、半硬化の処理の直前に実施される画像記録に用いられる第１のインクと、直後に実施される画像記録に用いられる第２のインクを用いて判定プリントを出力させ、
照射エネルギー量設定工程は、各半硬化の処理毎に前記判定プリントに使用された複数種類の照射エネルギー量の最小値と最大値の間で、前記条件式（１）を満足するように１つの照射エネルギー量を選択して設定することを特徴とする請求項１１〜１６の何れか１項に記載のインクジェット記録方法。【００３１】
１８．前記記録媒体はインクを実質的に非吸収性の記録媒体であることを特徴とする前記１０〜１７の何れか１項に記載のインクジェット記録方法。
【発明の効果】
【００３２】
本発明によれば、シングルパス方式で高速での多色印刷する場合においても、濃度ムラの発生を低減しつつ、各色インク間でのインク滲みが少なく画質劣化の少ない良好な画像を高速で記録することが可能なインクジェット記録装置およびインクジェット記録方法を提供できる。
【図面の簡単な説明】
【００３３】
【図１】本発明の実施形態に係るインクジェット記録装置の全体構成図である。
【図２】図１に示すインクジェット記録装置の主制御構成を表すブロック図である。
【図３】Ｒ０の判定パターンの例を示す図である。
【図４】Ｒの判定パターンの例を示す図である。
【図５】インクの硬化度合いとＲの関係を説明するための模式図である。
【図６】インクジェット記録装置の動作の一例を示したフローチャートである。
【図７】照射エネルギー量とＲ／Ｒ０の相関図である。
【発明を実施するための形態】
【００３４】
以下、本発明の実施の形態について図面を用いて説明する。なお、本欄の記載は請求項の技術的範囲や用語の意義を限定するものではない。また、以下の本発明の実施の形態における断定的な説明はベストモードを示すものであって、本発明の用語の意義や技術的範囲を限定するものではない。
＜インクジェット記録装置＞
以下、添付図面を参照して、本発明に係るインクジェット記録装置及びインクジェット記録方法について詳細に説明する。
【００３５】
図１は、本発明の実施形態に係るインクジェット記録装置の全体構成図である。同図に示したように、このインクジェット記録装置１０は、イエロー（Ｙ）、マゼンタ（Ｍ）、シアン（Ｃ）、黒（Ｋ）の各インクに対応して設けられた複数のインクジェットヘッド（ヘッド部。以下、ヘッドという。）１２Ｙ（イエロー）、１２Ｍ（マゼンタ）、１２Ｃ（シアン）、１２Ｋ（黒）と、各ヘッドに供給する紫外線硬化型インク（いわゆるＵＶインク）を貯蔵しておくインク貯蔵／装填部１４と、各ヘッドの下流側にそれぞれ配置された半硬化光源１６Ａ、１６Ｂ、１６Ｃ、１６Ｄと、最終ヘッド（黒ヘッド１２Ｋ）後段の半硬化光源１６Ｄの下流に配置された完全硬化光源１８と、記録媒体２０を供給する給紙部２２と、記録媒体２０のカールを除去するアンチカール処理部２４と、各ヘッド１２Ｙ、１２Ｍ、１２Ｃ、１２Ｋのノズル面（インク吐出面）及び各半硬化光源１６Ａ〜１６Ｄの光出射面に対向して配置され、記録媒体２０の平面性を保持しながら記録媒体２０を搬送する吸着ベルト搬送部２６と、記録済みの記録媒体（プリント物）を外部に排紙する排紙部２８とを備えている。
【００３６】
紫外線硬化型インクは、紫外線エネルギーの付与によって硬化（重合化）する成分（モノマー、オリゴマー、又は低分子量ホモポリマー、コポリマーなどの紫外線硬化性成分）と重合開始剤とを含むインクであり、紫外線を受光すると重合を開始し、重合の進行とともに増粘し、やがて硬化する性質を有する。
【００３７】
インク貯蔵／装填部１４は、各ヘッド１２Ｙ、１２Ｍ、１２Ｃ、１２Ｋに対応する色のインクを貯蔵するインクタンク１４Ｙ、１４Ｍ、１４Ｃ、１４Ｋを有し、各タンクは所要の管路３０を介して各ヘッド１２Ｙ、１２Ｍ、１２Ｃ、１２Ｋと連通されている。また、インク貯蔵／装填部１４は、インク残量が少なくなるとその旨を報知する報知手段（表示手段、警告音発生手段）を備えるとともに、色間の誤装填を防止するための機構を有している。
【００３８】
図１において、給紙部２２の一例として記録媒体がロール状態（連続用紙）のマガジン３２が示されているが、紙幅や記録媒体の紙質等が異なる複数のマガジンを併設してもよい。また、ロール状のマガジンに代えて、又はこれと併用して、カット状のものが積層装填されたカセットによって供給してもよい。
【００３９】
複数種類の記録媒体を利用可能な構成にした場合、記録媒体の種類情報を記録したバーコード或いは無線タグなどの情報記録体をマガジンに取り付け、その情報記録体の情報を所定の読取装置によって読み取ることで、使用される記録媒体の種類を自動的に判別し、記録媒体の種類に応じて適切なインク吐出を実現するようにインク吐出制御を行うことが好ましい。
【００４０】
給紙部２２から送り出される記録媒体２０はマガジン３２に装填されていたことによる巻きクセが残り、カールする。このカールを除去するために、アンチカール処理部２４においてマガジン３２の巻きクセ方向と逆方向に加熱ドラム３４で記録媒体２０に熱を与える。このとき、多少印字面が外側に弱いカールとなるように加熱温度を制御することもできる。
【００４１】
ロール状で使用する装置構成の場合、図１のように、裁断用のカッター３８が設けられており、該カッター３８によって記録媒体は所望のサイズにカットされる。カッター３８は、記録媒体２０の搬送路幅以上の長さを有する固定刃３８Ａと、該固定刃３８Ａに沿って移動する丸刃３８Ｂとから構成される。
【００４２】
アンチカール処理後、カットされた記録媒体２０は、吸着ベルト搬送部２６へと送られる。吸着ベルト搬送部２６は、ローラ４１、４２間に無端状のベルト４３が巻き掛けられた構造を有し、少なくとも各ヘッド１２Ｙ、１２Ｍ、１２Ｃ、１２Ｋのノズル面に対向する部分が平面をなすように構成されている。
【００４３】
ベルト４３は、記録媒体２０の幅よりも広い幅寸法を有しており、ベルト面には多数の吸引穴（図示省略）が形成されている。ローラ４１、４２間に掛け渡されたベルト４３の内側には、吸着チャンバなどを設けてファンで吸引して負圧にすることによって記録媒体２０がベルト４３上に吸着保持されるようにしても良い。
【００４４】
ベルト４３が巻かれているローラ４１、４２の少なくとも一方にモータ（図示省略）の動力が伝達されることにより、ベルト４３は図１上で反時計回り方向に駆動され、ベルト４３上に保持された記録媒体２０は図１の矢印で示される搬送方向（副走査方向Ａ）に沿って右から左へと搬送される。
【００４５】
各ヘッド１２Ｙ、１２Ｍ、１２Ｃ、１２Ｋは、当該インクジェット記録装置１０が対象とする記録媒体２０の最大紙幅に対応する長さを有し、そのノズル面には最大サイズの記録媒体２０の少なくとも一辺を超える長さ（描画可能範囲の全幅）にわたりインク吐出用のノズルが複数配列されたフルライン型のヘッドとなっている。
【００４６】
ヘッド１２Ｙ、１２Ｍ、１２Ｃ、１２Ｋは、記録媒体２０の送り方向に沿って上流側からイエロー（Ｙ）、マゼンタ（Ｍ）、シアン（Ｃ）、黒（Ｋ）、の色順に配置され、それぞれのヘッド１２Ｙ、１２Ｍ、１２Ｃ、１２Ｋが記録媒体２０の搬送方向と略直交する方向（主走査方向）に沿って延在するように配置される。ヘッド配列順序は、本発明の効果を損なわなければ、硬化感度やインクの透過率を鑑みて、必要に応じて並べてもよい。
【００４７】
吸着ベルト搬送部２６により記録媒体２０を搬送しつつ各ヘッド１２Ｙ、１２Ｍ、１２Ｃ、１２Ｋから各色のインクを吐出することにより記録媒体２０上にカラー画像を形成し得る。
【００４８】
このように、シングルパス方式のインクジェット記録装置１０は、紙幅の全域をカバーするノズル列を有するフルライン型のヘッドのイエロー（Ｙ）、マゼンタ（Ｍ）、シアン（Ｃ）、黒（Ｋ）を色別に設ける構成によれば、記録媒体２０の搬送方向について記録媒体２０をヘッド１２Ｙ、１２Ｍ、１２Ｃ、１２Ｋに対して相対移動させる動作を１回行うという、シングルパスをするだけで、記録媒体２０の全面に画像を記録することができる。
【００４９】
本例では、ＹＭＣＫの標準色（４色）インクの組み合わせによる構成を例示したが、インク色や色数の組み合わせは本実施形態には限定されず、色数が２種以上であれば良く、必要に応じて淡インク、濃インクを追加してもよい。例えば、ライトシアン、ライトマゼンタなどのライト系インクを吐出するインクジェットヘッドを追加する構成も可能である。
【００５０】
各ヘッドの下流に配置されている半硬化光源１６Ａ〜１６Ｄは、ヘッドと同様に記録媒体２０の最大紙幅に対応する長さを有し、記録媒体２０の搬送方向と略直交する方向に延在するように固定されている。半硬化光源１６Ａ〜１６Ｄには、ヘッド部の下流に配置されている完全硬化光源１８と比べて発光波長領域の狭いＬＥＤ素子、或いはＬＤ素子が好適に用いられる。ただし、半硬化光源１６Ａ〜１６Ｄや完全硬化光源１８の中心波長や発光波長領域は使用されるインクの設計に応じて選択される。
【００５１】
各半硬化光源１６は、隣接する２つのヘッド１２間にそれぞれ配置され、搬送方向の上流側にある一方のインクジェットヘッドから吐出されて前記記録媒体上に着弾した第１のインクの上に前記搬送方向の下流側にある他方のインクジェットヘッドから吐出された第２のインクが着弾する前に、第１のインクを半硬化させる活性エネルギー線を照射する。
【００５２】
記録媒体２０が上流のヘッドを通過して、次のヘッド下に入る前に、半硬化光源１６Ａ〜１６Ｃから光を照射して、記録媒体２０上のインクを半硬化状態にし、次段の異色ヘッドによる打滴を行うようになっている。
【００５３】
図１の例では、イエローヘッド１２Ｙによる打滴を行い、半硬化光源１６Ａによる光照射を経てイエローインクを半硬化させてから、マゼンタヘッド１２Ｍによる打滴を行う。同様に、マゼンタヘッド１２Ｍによる打滴後は、半硬化光源１６Ｂによる光照射を経てシアンヘッド１２Ｃによる打滴を行い、その後半硬化光源１６Ｃによる光照射を経て黒ヘッド１２Ｋによる打滴を行う。黒ヘッド１２Ｋによる打滴後は半硬化光源１６Ｄによって光照射を行う。なお、半硬化光源１６Ｄを設けない構成としても良い。
【００５４】
記録媒体２０の搬送方向に沿って上流側に存在するヘッドから吐出されたインクは紫外線の照射によって、半硬化して記録媒体２０上のインクは半硬化状態を維持することが可能となり、最終の半硬化光源１６Ｄを通過した段階では記録媒体２０上のインクは色間の硬化の進行差が小さく平準化された半硬化状態になる。
【００５５】
半硬化光源１６Ｄの後段には完全硬化光源１８が設けられている。完全硬化光源１８は、半硬化光源１６Ａ〜１６Ｄよりも発光波長域が広く、照射光量が大きいメタルハライドランプや水銀ランプなどを用いる。完全硬化光源１８によってインクを完全に硬化させるに足る光照射が行われ、本定着が行われる。
【００５６】
こうして、完全硬化光源１８による完全硬化処理（搬送ハンドリングにおいてもインクこすれ等による画質劣化を起こさない程度に硬化定着させる処理）を経て生成されたプリント物は排紙部２８から排出される。なお、図１には示さないが、排紙部２８には、オーダー別に画像を集積するソーターが設けられる。
【００５７】
次に、半硬化光源について説明する。半硬化光源１６は、低圧水銀ランプなどを用いて遮光囲い（図示せず）がされた複数の半硬化光源がライン状に並べられて配置されている。
【００５８】
遮光囲いされた半硬化光源の底部には光出射口となるスリット状の開口部（図示せず）などが形成される。各素子の発光量を制御することより、紫外線の照射エリアについて所望の照射範囲及び光量（強度）分布を実現することができる。
【００５９】
この際に、記録媒体２０のサイズやヘッド１２による打滴範囲及びインク量に応じて半硬化光源の発光位置及び発光量を適切に制御すると共にヘッド１２への悪影響（ノズル内インクの硬化など）を極力抑制するようにして必要な発光を行うことができる。
【００６０】
なお、半硬化光源には、紫外線ＬＥＤ、ＬＤ（レーザダイオード）、高圧水銀ランプ、低圧水銀ランプ、メタルハライドランプ、ブラックライト、熱陰極管、冷陰極管を用いる構成も可能である。
【００６１】
この紫外線硬化型インクを用いて多色画像を形成する際の画質に影響するものとして、例えば記録媒体の種類、記録媒体に先に吐出されている第１のインクの種類、第１のインクの上に吐出される第２のインクの種類等が挙げられる。
【００６２】
紫外線等の活性エネルギー線の照射により硬化するインクを用いるインクジェット記録装置では、多種多様の記録媒体とインクを用いて画像形成が行われる。
【００６３】
ここで、特に多色の重ね合わせ画像において、インクと記録媒体の種類によって記録媒体上の第１のインクの硬化特性やその上に重ねる第２のインクの乗り方等の特性が異なるために、インクや記録媒体の種類が異なると第２のインクのドットの広がり具合が異なってしまって、濃度ムラや滲みの発生により所望の画像を実現できない場合があった。
【００６４】
第１のインクの半硬化時の光照射量は、第１のインクが硬化時に受ける被照射量であり、この被照射量が影響するため、着弾した第１のインクの表面が増粘状態か若しくは硬化状態となる。増粘程度によって第１のインクの表面エネルギーが変化し、着弾した第１のインクの上に打たれた第２のインクのレベリング挙動が変化するため、第２のインクのドット半径が変化する。照射量を上げることで、着弾した第１のインクの表面エネルギーが高くなり表面の濡れ性が向上し、着弾した第１のインクの上に打たれた第２のインクは広がりやすくなる。これにより、第１のインク上に着弾した第２のインクは広がることからドット半径が増す。このようなドット半径の変化により最適条件を外れると滲みや濃度ムラが発生してしまう。
【００６５】
紫外線硬化型インクは、種類（組成）により硬化感度が変化する。硬化感度が変化することで、照射量が一定である場合、第１のインクの種類に応じて、着弾したインクの表面エネルギーが変化する。したがって、表面エネルギーが変化することで、着弾したインクの上から打たれた第２のインクのレベリング挙動が変化するため、第２のインクのドット半径が変化する。例えば、紫外線硬化型インクの感度は、重合性化合物の量が多いほど、感度が高くなる。照射量が一定である場合、重合性化合物の量が多いほど、インクの表面エネルギーが高く着弾した第１のインクの表面エネルギーが高くなり表面の濡れ性が向上するため、着弾した第１のインクの上から打たれた第２のインクは広がりやすくなる。すなわち、表面上のインクは広がることから、ドット半径が増加する。
【００６６】
以下にこれらの現象に関して、第１のインクの半硬化と、第２のインクのドット半径（２Ｒ）の様子を、第１のインクとして１色目のインクを第２のインクとして２色目のインクを重ねる場合を例に挙げて図５を用いて詳細に説明する。
【００６７】
図５において、半硬化光源１６の照射エネルギー量は（ａ）が最も小さく（ｂ）、（ｃ）、（ｄ）の順に大きくなっている。図５に示すように、記録媒体に１色目のインクを吐出すると、記録媒体はほとんど浸透しないため、半硬化の程度を変えると、図５に見られるように２色目のインクのもぐり込みと広がり方は驚くべきことに異なり、照射エネルギー量が大きいほどドット半径が大きくなる。図５（ａ）〜（ｃ）では、２色目のインクが記録媒体の記録面まで浸透している。このような状態では、２色目のインクと記録媒体の組み合わせで決まる接触角θが２色目のインクのドット半径に影響を及ぼすようになり、接触角θが小さいほどドット半径が大きくなる。
【００６８】
（ａ）のように、１色目のインクがまだ十分硬化しない間に２色目のインクを吐出すると１色目のインクの下側に大きく潜り込み、結果として１色目が覆いかぶさって鋭角になっていることにより、そこの薄さが微妙に異なり濃度にムラが観察されるし、硬化が不十分であるので、１色目と２色目で滲みが発生しやすく実用に耐えないことが判った。
【００６９】
逆に（ｄ）に示すように硬化させ過ぎた場合は、上に乗りやすくなり、１色目の上に２色目が乗り、その部分が鋭角になる。そのためにやはり濃度ムラが起こる。また完全硬化でこの状態に定着するが、このような状態では、搬送、ノズル精度による着弾位置がずれた場合に、容易に２色目のインク液滴同士がくっついて入り乱れてしまうために、それによる濃度ムラも生じやすくやはり実用に耐えないことが判った。
【００７０】
一方、（ｂ）〜（ｃ）の半硬化させられた場合を調べると、１色目のインクと、２色目のインクの液滴は、着弾後に適度に縦と横方向に変形することで、鋭角な表面での重なりが少ない場合に濃度ムラが人間の目に観察されにくく、更に半硬化させられたことで異なるインクでの色滲みが抑制させることができることが判った。
【００７１】
つまり、１色目にどの程度２色目が潜り込むか、その為の潜り込み度合い、そして横のドット半径を制御するような、液滴制御を行うことで濃度ムラと滲みを制御することができることが判る。
【００７２】
それには、（ｂ）、（ｃ）に示すように、横の広がりは２色目のインクが記録媒体の記録面まで浸透して２色目のインクと記録媒体の組み合わせで決まる接触角θが２色目のインクのドット半径に影響を及ぼして、例えば、接触角θが小さいほどドット半径が大きくさせることで横の広がりを制御できる。また縦の潜り込みの程度は、２色目と１色目のインクの粘性での抵抗で影響されやすいので、特に１色目の半硬化状態の程度、粘度を調整することで縦の広がりを制御できる。
【００７３】
そして、更に鋭意検討した結果、記録媒体上に吐出されて半硬化した第１のインクの上に吐出された第２のインクのドット半径をＲとし、前記第２のインクを前記記録媒体上に直接に吐出させたときのドット半径をＲ０としたとき、以下の条件式（１）を満足するようにＲ／Ｒ０を調整することで横と縦、ひいては重なりでの状態のバランスを考慮して、濃度ムラと滲みの両立ができる範囲を効率的に解決することができると判った。
【００７４】
０．６≦Ｒ／Ｒ０≦０．９                                    （１）
０．６より小さいと濃度ムラが出やすいし、０．９を超えると滲みが起きやすくなる。
【００７５】
従来技術では、習慣的にＲとＲ０が等しくなるような条件で重合わせが行われるようにされており、本発明のようにＲがＲ０よりも小さくなるような所定の範囲の条件で重合わせを行うようにした従来技術は存在していない。
【００７６】
本発明では、複数色のインクから選ばれる任意の少なくとも２色のインクを重合わせる場合に、先に印字される第１のインクと直後に印字される第２のインクに対して条件式（１）を満足するようにＲ、Ｒ０が設定される。
【００７７】
好ましくは、第１のインクとして記録媒体に直接印字される１色目のインクとその直後に印字される第２のインクとしての２色目のインクについて、そのすべての組み合わせにおいて、条件式（１）を満足するようにすることが好ましい。更に好ましくは、全ての第１のインクと第２のインクの組み合わせについて条件式（１）を満足するようにすることである。
【００７８】
例えば、図１のインクジェット記録装置では、記録媒体搬送方向上流から下流に向かってイエローＹ、マゼンタＭ、シアンＣ、ブラックＫの４色のヘッドが順次配置され、このため例えば赤色系の混合色を得る場合には、記録媒体に対してイエローのインクが吐出された後、その上にマゼンタのインクが重ね合わせられることになる。同様に、緑色系の混合色を得る場合には、イエローの上にシアンが重ね合わせられ、また青色系の混合色を得る場合には、マゼンタの上にシアンが重ね合わせられることになる。第１のインクと第２のインクの組み合わせとしては、Ｙ＋Ｍ、Ｙ＋Ｃ、Ｙ＋Ｋ、Ｍ＋Ｃ、Ｍ＋Ｋ、Ｃ＋Ｋがあり、これらのうちの少なくとも１つの組み合わせについて条件式（１）を満足するようにすればよい。また、これらの組み合わせは、例えば、Ｍ＋Ｃでは、１色目と２色目の場合と２色目と３色目の場合があるが、１色目と２色目となる組み合わせのすべてについて条件式（１）を満足するようにすることが好ましい。さらに好ましくは、全ての第１のインクと第２のインクの組み合わせについて条件式（１）を満足するようにすることである。
【００７９】
次に、インクジェット記録装置１０の制御系について説明する。図２はインクジェット記録装置の主要部の構成ブロック図である。
【００８０】
システムコントローラ１１２は、中央演算処理装置（ＣＰＵ）及びその周辺回路等から構成され、ＲＯＭ１１５中のプログラムを実行することでホストコンピュータ１３０との間の通信制御、画像メモリ１１４の読み書き制御等を行うとともに、記録媒体２０の搬送系のモータ１３４等を制御する制御信号を生成する。
【００８１】
プリント制御部１２０は、システムコントローラ１１２の制御に従い、画像メモリ１１４内の画像データから印字制御用の信号を生成するための各種加工、補正などの処理を行う信号処理機能を有し、生成した印字制御信号（ドットデータ）をヘッドドライバ１２４に供給する制御部である。プリント制御部１２０において所要の信号処理が施され、該画像データに基づいてヘッドドライバ１２４を介して色別のヘッド１２のインク吐出量や吐出タイミングの制御が行われる。
【００８２】
ヘッドドライバ１２４はプリント制御部１２０から与えられるドットデータに基づいて各ヘッド１２の吐出駆動用アクチュエータ（図示せず）を駆動する。ヘッドドライバ１２４にはヘッドの駆動条件を一定に保つためのフィードバック制御系を含んでいてもよい。
【００８３】
印刷すべき画像のデータは、通信インターフェース１１０を介して外部から入力され、画像メモリ１１４に蓄えられる。この段階では、例えば、ＲＧＢの画像データが画像メモリ１１４に記憶される。画像メモリ１１４に蓄えられた画像データは、システムコントローラ１１２を介してプリント制御部１２０に送られ、該プリント制御部１２０において既知のディザ法、誤差拡散法などの手法によりインク色毎のドットデータに変換される。
【００８４】
こうして、プリント制御部１２０で生成されたドットデータに基づいて各ヘッド１２が駆動制御され、各ヘッド１２からインクが吐出される。記録媒体２０の搬送速度に同期して各ヘッド１２からのインク吐出を制御することにより、記録媒体２０上に画像が形成される。
【００８５】
この際に、マルチドロップレットという、一度に、数段階の吐出で吐出液量が可能な方法を用いることで、飛翔時の液滴半径（マルチドロップレットの合体した状態での液滴半径）を制御すると共に、着弾時の半径を予測して制御することが特に好ましい。特に滲みが少なく、濃度ムラの少ない高精細な画像をシングルパスでカラー印刷できる。好ましくは、マルチドロップレットとしては、少なくとも３段階以上に液適量が調整できるのが好ましい。
【００８６】
記録媒体認識部としての記録媒体検出部１２６は、記録媒体２０の紙種等の識別情報を検出する手段である。例えば、給紙部２２のマガジン３２に付されたバーコード等の情報を読み込む手段、用紙搬送路中の適当な場所に配置されたセンサ（反射率を検出するセンサなど）が用いられ、これらの適宜の組み合わせも可能である。また、記録媒体認識部として、これら自動検出の手段に代えて、若しくはこれと併用して、所定のユーザインターフェースからの入力によって紙種等の識別情報を指定する構成も可能である。
【００８７】
インク認識部としてのインク検出部１２７は、インクの種類等の識別情報を検出する手段である。例えば、インクタンク１４に付されたバーコード等の情報を読み込む手段、インクの種類を検出できる適当な場所に配置されたセンサが用いられ、これらの適宜の組み合わせも可能である。また、インク認識部として、これら自動検出の手段に代えて、若しくはこれと併用して、所定のユーザインターフェースからの入力によってインクの種類等に関する識別情報を指定する構成も可能である。
【００８８】
記録媒体検出部１２６及びインク検出部１２７により取得された情報は照射エネルギー量設定手段１２９に送られ、システムコントローラ１１２及び／又はプリント制御部１２０に通知され、インク吐出制御及び半硬化光源１６Ａ，１６Ｂ，１６Ｃ，１６Ｄの制御等に利用される。
【００８９】
光源制御部１２８は、半硬化光源１６の点灯（ＯＮ）／消灯（ＯＦＦ）並びに点灯位置、点灯時の発光量等を制御する半硬化光源制御回路と、完全硬化光源１８の点灯（ＯＮ）／消灯（ＯＦＦ）並びに点灯時の発光量等を制御する完全硬化光源制御回路と、を含んで構成される。光源制御部１２８は、プリント制御部１２０からの指令に従って各光源（１６，１８）の発光を制御する。この際に、半硬化光源１６の照射エネルギー量について、照射強度、もしくは照射時間を可変にして制御することが好ましい。
【００９０】
即ち、半硬化光源１６の照射エネルギー量は記録媒体に照射されるエネルギー量であり、半硬化光源１６の発光量を変化させることにより照射強度を変化させたり、半硬化光源１６の照射時間を変化させることにより照射時間を変化させて照射エネルギー量を制御する。また、照射時間を変化させるには記録媒体の搬送速度を変化させるようにしても良い。本実施形態においては、搬送速度は２００ｍｍ／ｓｅｃで一定とし、半硬化光源１６の発光量を変化することにより照射エネルギー量変化させている。記録媒体の搬送速度を変化させるよりも制御が容易である。
【００９１】
更に、記録媒体の特性やインク着弾量の情報を基に完全硬化光源１８の照射エネルギー量条件を最適とすることにより、安定した定着処理が可能となり、インクの剥離や割れを防止することができる。
【００９２】
照射エネルギー量記憶部１２２に記憶されるデータには、半硬化光源１６Ａ、１６Ｂ、１６Ｃそれぞれについて、画像記録に用いられる記録媒体の種類と第１のインクの種類と第２のインクの種類との組み合わせ毎に対応するように設定された最適の照射エネルギー量のテーブルがある。
【００９３】
照射エネルギー量テーブルは、半硬化光源１６Ａ〜１６Ｃに対応するように、各上流側のヘッド１２Ｙ〜１２Ｃから吐出される第１のインクを半硬化させるための最適の照射エネルギー量を決定するものである。
【００９４】
テーブルは、実験やシミュレーション等によって記録媒体の種類と第１のインクと第２のインクの組み合わせ毎にそれぞれ設定されていることが好ましい。例えば、イエローインクを半硬化させる半硬化光源１６Ａであれば、記録媒体の種類と第１のインクであるイエローインクの種類と第２のインクであるマゼンタインクの種類の組み合わせ毎に、照射エネルギー量をそれぞれ異ならせながら、多色画像を記録しそのマゼンタ画像のドット半径としてＲを測定し、直接記録媒体上に印刷したマゼンタからのドット半径としてＲ０を測定しＲ／Ｒ０を算出して、条件式（１）を満足するように照射エネルギー量を決定する。同様に、マゼンタインクを半硬化させる半硬化光源１６Ｂであれば、記録媒体の種類と第１のインクであるマゼンタインクの種類と第２のインクであるシアンインクの種類の組み合わせ毎に、照射エネルギー量をそれぞれ異ならせながら、多色画像を記録しそのシアン画像のドット半径としてＲを測定し、直接記録媒体上に印刷したシアンからのドット半径としてＲ０を測定しＲ／Ｒ０を算出して、条件式（１）を満足するように照射エネルギー量を決定する。
【００９５】
画像のＲ０，Ｒを自動で測定するだけでなく、本実施形態においては、各条件で出力した画像のドットのＲ／Ｒ０を評価して、評価結果に基づいて、条件式（１）を満足する範囲からＲ／Ｒ０を設定し、最適の照射エネルギー量を設定した。
【００９６】
これにより、テストパターン（以下、判定プリントと記す場合がある）のＲ、Ｒ０のドット半径を自動測定し、Ｒ、Ｒ０のデータを基に、Ｒ／Ｒ０が条件式（１）を満足するように、記録時に参照される（使用される）、半硬化光源１６の照射エネルギー量が設定されることになり、濃度ムラ、滲みが少ない画像を記録することが可能となるとともに作業効率が向上する。
【００９７】
また、判定プリントを読み取って得られた読み取りの結果に基づいて、照射エネルギー量を設定することにより、照射エネルギー量設定の信頼性を向上できる。
【００９８】
Ｒ、Ｒ０は、それぞれ種類が同じ記録媒体及び種類と液適量が同じ２色目のインクで得られた値であり、１色目のインク違いはそれぞれ別に定義される。例としてはＹインク、次にＭインク、次にＣインク、そしてＫインクの順であれば、ＹインクにＭインクを印刷する過程では、Ｒ０は記録媒体に直接にＭインクを印刷したドットの半径で、ＲはＹインクをベタ印刷し半硬化させたところにＭインクを印刷して得たドットの半径という具合である。
【００９９】
Ｒとは、あらかじめ記録媒体上に１色目のインクを所定の解像度で一面に印刷した画像パターン（いわゆる印字率１００％のベタ印刷を言う）を適宜、照射エネルギー量を変えて半硬化状態にした所に２色目のインク滴を印刷し、その後、完全硬化するエネルギーを与えて完全硬化させた後に２色目のインクドットの半径を判定プリント測定部２００Ａで測定して得られた値で、加圧などをしない値である。
【０１００】
Ｒ０とは、記録媒体上に直接２色目のインク滴を印刷し、その後、完全硬化するエネルギーを与えて完全硬化させた後に２色目のインクドットの半径を判定プリント測定部２００Ａで測定して得られた値で、加圧などをしない値である。なおＲ０は、予め各種記録媒体とインクの組み合わせで求めておいたデータを用いても良い。この場合Ｒ０のテストパターンは不要である。
【０１０１】
完全硬化とは、形成した画像中の重合性化合物の反応率を測定し７０％以上であれば構わず、フーリエ変換赤外分光光度計（ＦＴ−ＩＲ、例えば、島津製作所社製のＩＲ  Ｐｒｅｓｔｉｎｇｅ−２１、ＩＲＡｆｆｉｎｉｔｙ−１等）などで測定することもできる。照射エネルギー量でいえばおおよそ１５０ｍＪ／ｃｍ２以上で十分であるといえる。逆に、半硬化としては反応率が５０％以下の条件である。また、形成されたカラー画像部が完全硬化している状態とは、完全硬化光源で硬化後、搬送ハンドリングにおいても、形成画像にインクこすれ等による画質劣化を起こさない程度に硬化されている状態をいう。
【０１０２】
本実施形態では判定プリント測定部２００Ａとして高速ビデオカメラを用いて撮影し、その画像から測定データを得る。なお、公知の顕微鏡観察や、高倍率のルーペを用いて人手により測定しても良い。また、更には自動で判定プリントを市販のスキャナーで画像を取り込んでその画像から測定データを得てもよい。
【０１０３】
２色目のインクの液適量は、４ｐｌ〜４０ｐｌが好ましく、６ｐｌ〜２０ｐｌがより好ましい。記録媒体との接触角は１０°〜３０°が好ましい。解像度は生産性、滲み品質の取り合いから１色当たり１５０ｄｐｉ〜１２００ｄｐｉが好ましく、３００ｄｐｉ〜８００ｄｐｉがより好ましい。
【０１０４】
Ｒは、１色目と２色目のインクの粘度、密度、表面張力のバランスを調整することで調整できる。しかし、特に精度よく制御でき大きく影響する因子としては、２色目のインクを着弾させる直前に堆積している１色目のインクの照射エネルギーによる硬化度と粘度の増大などが大きく影響する。
【０１０５】
２色目の画像の記録媒体搬送方向に略直交する方向の解像度をＸ（ｄｐｉ：ｄｏｔ／ｉｎｃｈ、１インチ当たりのドット数）としたときに、Ｒ０（ｍｍ）≦１．４（２５．４／Ｘ）が好ましい。さらに好ましくは０．８（２５．４／Ｘ）〜１．２（２５．４／Ｘ）である。小さいとやはり、濃度ムラが出やすくなる傾向があり１．４を越えると滲みが起き易くなってくる。
【０１０６】
また、システムとしては記録媒体の種類がさまざまで、その記録媒体にそれぞれ特性が異なることがあり得る。また、Ｙ，Ｍ，Ｃ，Ｋインクを印刷する場合では粘度、密度、表面張力なども色々な組み合わせによるバランスが考えられる。
【０１０７】
一方、インクジェットヘッドのノズルから吐出できるインクの粘度範囲が限られることを鑑みると、実際にはある程度インクの物性を調整しておき、後は主として硬化反応インクを用いた利点を最大限に生かし、１色目のインクを半硬化させる度合いを適宜調整することで現実的で一番重要である。
【０１０８】
条件式（１）を満足するようにＲ／Ｒ０を調整するには、インク内の硬化反応成分の量、種類、および成分比を変えることで調整できるし、前述の方法により半硬化光源での照射エネルギー量を調整することで達成することができる。
【０１０９】
照射エネルギー量は、条件式（１）を満足するように、１色目のインクに照射エネルギー量を変えることで決定することができる。滲みと濃度ムラ防止を両立する観点から好ましくは５ｍＪ／ｃｍ２〜５０ｍＪ／ｃｍ２である。
【０１１０】
また、記録媒体２０の搬送方向に沿って上流側に存在するヘッド１２から吐出されたインク程、半硬化光源１６を通過する回数が多くなる。例えば、記録媒体上に印字される１色目＋２色目の組み合わせとして、Ｙ＋Ｍ、Ｍ＋Ｃ、Ｃ＋Ｋでは１回、Ｙ＋Ｃ、Ｍ＋Ｋは２回、Ｙ＋Ｋは３回という具合である。
【０１１１】
このように、複数回半硬化光源１６によって照射を受けても所望の半硬化状態を維持し、条件式（１）を満たすように照射エネルギー量を調整することが好ましい。
【０１１２】
次に判定プリントについて述べる。Ｒは、記録媒体に１色目のインクをベタ印刷を行った後に、照射する半硬化光源の照射エネルギー量を複数段階変化させた画像パターン上に、２色目のインクを印刷した判定用のプリントから測定して得られた２色目のドット半径Ｒのデータを用いることが好ましい。
【０１１３】
Ｒを求めるときの記録媒体は、印刷しようとする記録媒体を示す。特に好ましくは、Ｒを判定プリントから測定する場合は、自動的に測定し、その後、Ｒ／Ｒ０が条件式（１）を満足するように最適の照射エネルギー量を算出して制御することである。
【０１１４】
判定プリントの測定は、前述のように判定プリント測定部２００Ａで行われる。
【０１１５】
図３にＲ０の判定パターンおよび図４（ａ）〜（ｃ）にＲの判定パターンの例を示す。図３に示すように、Ｒ０判定パターンは、記録媒体の上に２色目のインクとして、それぞれＭ，Ｃ、Ｋなどのインクを直接吐出した後に、十分な硬化エネルギーを与えて完全硬化させたパターンである。硬化エネルギーとしては１５０ｍＪ／ｃｍ２も与えれば一般には十分である。
【０１１６】
Ｒ判定パターンとしては、図４の（ｃ）の４つが、Ｙインクをベタ印刷し、その後に、半硬化光源１６Ａでそれぞれ発光量を変化させることで半硬化の照射エネルギーを５，１０，５０，１００ｍＪ／ｃｍ２と変化させて、それぞれにＭ，Ｃ，Ｋインクを半分の解像度でドット半径が計りやすいように印刷し、その後に完全硬化光源１８にて完全硬化させたパターンである。同様に（ｂ）の場合は、ＭインクにＹ，Ｃ，Ｋを印刷、更に（ａ）の場合はＣインクにＹ，Ｍ，Ｋインクを印刷したパターンである。
【０１１７】
このように、判定プリントは、活性エネルギー線の照射エネルギー量が各々異なる複数の領域を有する前記第１のインクの画像の上に前記第２のインクのドット画像を形成させた重ね画像であり、搬送方向に複数の領域を配置したパターンとすることにより、判定プリント出力手段が、記録媒体を搬送させながら前記照射エネルギー量を変更して１パスで前記判定プリントを出力させることができるので、照射エネルギー量を変更した判定プリントを間便に出力できる。
【０１１８】
本発明では、このほかの色々なパターン、照射エネルギー量の組み合わせを考えることができるし、３色に限定されない。重要なのは、順番通りに１色目ベタ、２色目のドットを印刷し、このときドットが重ならないようにしてＲを測定できる間隔でパターンを印刷することである。本実施形態では、判定プリントを隣り合った各ヘッド（１２Ｙと１２Ｍ、１２Ｍと１２Ｃ、１２Ｃと１２Ｋ）を使用して、Ｙのベタ印字後半硬化光源１６Ａで半硬化処理しＭのドットを印字して完全硬化するパターン、Ｍのベタ印字後半硬化光源１６Ｂで半硬化処理しＣのドットを印字して完全硬化するパターン、Ｃのベタ印字後１６Ｃで半硬化処理しＫのドットを印字して完全硬化するパターンの３種のパターンの判定プリントを作成し、半硬化光源１６Ａ、１６Ｂ、１６Ｃの各々の照射エネルギー量を設定する。
【０１１９】
このように、判定プリント出力手段は、半硬化光源１６に隣接して前記搬送方向の上流側にあるインクジェットヘッドから吐出される第１のインクと、半硬化光源１６に隣接して前記搬送方向の下流側にあるインクジェットヘッドから吐出される第２のインクを用いて前記判定プリントを出力させることにより、照射エネルギー量の設定が容易になる。
【０１２０】
特に、半硬化光源は、各色の前記インクジェットヘッド間にそれぞれ配置されている場合、判定プリント出力手段は、各半硬化光源毎に、半硬化光源に隣接して前記搬送方向の上流側にあるインクジェットヘッドから吐出される第１のインクと、半硬化光源に隣接して前記搬送方向の下流側にあるインクジェットヘッドから吐出される第２のインクを用いて判定プリントを出力させ、照射エネルギー量設定手段は、各半硬化光源毎に前記判定プリントに使用された複数種類の照射エネルギー量の最小値と最大値の間で、前記条件式（１）を満足するように記録時に参照される１つの照射エネルギー量を選択して設定することにより、複数の半硬化光源の照射エネルギー量の設定を間便に行うことができる。
【０１２１】
判定プリント出力手段１４８は、図３、図４に示したような判定パターンのデータを生成し、あるいは所定のメモリから呼び出してヘッドドライバ１２４を通じて判定パターンのデータを各ヘッド１２Ｙ、１２Ｃ、１２Ｍ、１２Ｋへ送り、判定プリントとして出力するものである。
【０１２２】
出力された図３，図４の判定プリントは前述のように判定プリント測定部２００Ａによって濃度測定される。測定結果は、Ｒ０、Ｒと照射エネルギー量を対応させて照射エネルギー量設定手段１２９に送られるようになっている。
【０１２３】
そして、照射エネルギー量設定手段１２９は、Ｒ／Ｒ０に基づいて、Ｒ／Ｒ０が条件式（１）を満足する範囲内で最適値となるように半硬化光源１６の照射エネルギー量を設定し、記録媒体の識別情報と１色目のインクの識別情報と２色目のインクの識別情報との組み合わせと対応させて最適照射エネルギー量を記憶する照射エネルギー量記憶部１２２に記憶させるとともに、プリント制御部１２０に送る。プリント制御部１２０は、送られた照射エネルギー量の設定値に基づいて、対応する半硬化光源１６の発光量となるように光源制御部１２８に指示を送り、制御する。
【０１２４】
このように、照射エネルギー量記憶部１２２は、記録媒体別、インク別に最適な照射エネルギー量を設定し、この照射エネルギー量を記録媒体検出部１２６及びインク検出部１２７から送られた記録媒体２０の識別情報及びインクの識別情報と対応付けて記憶しておくことができる。
【０１２５】
条件式（１）を満足する範囲でＲ／Ｒ０の目標値を設定すると、１色目を半硬化させる照射エネルギー量を一定とした場合、基本的には、記録媒体と２色目のインクの接触角θが相対的に小さいほどＲが大きくなり、１色目のインクの硬化感度が高いほどＲが大きくなる傾向にあるためこのような記録媒体とインクの組み合わせにおいて相対的に照射エネルギー量を小さく設定するようなテーブルが記憶される。
【０１２６】
次に、本実施形態のインクジェット記録装置１０の作用について図６のフローチャートを参照して説明する。
【０１２７】
まず、図６のステップＳ１００において、インクジェット記録装置１０に記録媒体２０を供給するための給紙部２２を装填する。前述したように、給紙部２２では装填されている記録媒体２０の種類等の識別情報を読み取る。記録媒体検出部１２６で読み取られた初期別情報は、照射エネルギー量設定手段１２９に送られる。一方で、インク検出部１２７によりインクの種類等の識別情報が検出され、検出されたインク種の識別情報は同様に照射エネルギー量設定手段１２９に送られる。
【０１２８】
次のステップＳ１１０において、照射エネルギー量設定手段１２９は、送られた媒体種情報等の識別情報に対応する最適照射エネルギー量がすでに設定され、照射エネルギー量記憶手段１２２に記憶されているか否か判断する。その媒体種等の識別情報に対応する最適な照射エネルギー量が存在する場合には、ステップＳ１２０へ進み、照射エネルギー量記憶手段１２２内に記憶されている、その最適照射エネルギー量を呼び出して、プリント制御部１２０に送る。プリント制御部１２０は、最適照射エネルギー量に対応する発光量となるように、光源制御部１２８を通じてそれぞれの半硬化光源１６Ａ，１６Ｂ，１６Ｃに設定する。
【０１２９】
一方、検出された媒体種等に対応する最適な照射エネルギー量が存在しない場合には、最適な照射エネルギー量を設定するための判定パターンを作成するためにステップＳ１３０に進む。
【０１３０】
ステップＳ１３０においては、プリント制御部１２０は、判定プリント出力手段１４８から判定プリントデータを読み出し、隣り合った各ヘッド（１２Ｙと１２Ｍ、１２Ｍと１２Ｃ、１２Ｃと１２Ｋ）を使用して半硬化光源１６の発光量を変えることで照射エネルギー量を複数段階変えて各画像を出力しＲ判定プリントの画像記録を実行する。また同様に図３に示すようなＲ０の判定プリントデータを読み出し、２色目となる１２Ｍ、１２Ｃ、１２Ｋの各ヘッドかインクを吐出させて各画像を出力しＲ０判定プリントの画像記録を実行する。
【０１３１】
次に、ステップＳ１４０において、照射エネルギー量設定手段１２９は、判定プリント測定部２００Ａを制御して、判定プリント測定部２００Ａの高速ビデオカメラで判定プリントの各プリントを上から撮影させ、その画像を処理することで２色目の画像のドット半径Ｒ、Ｒ０を測定する。測定結果は、インクの色毎にＲ０、Ｒと照射エネルギー量とを対応づけて照射エネルギー量設定手段１２９に送られる。
【０１３２】
次にステップＳ１５０では、照射エネルギー量設定手段１２９は、各半硬化光源１６Ａ、１６Ｂ、１６Ｃ毎に、図７に示すようなＲ／Ｒ０と照射エネルギー量の相関関係データを構築すると共に、条件式（１）を満足するＲ／Ｒ０の範囲からＲ／Ｒ０の目標値を設定する。例えば、Ｒ／Ｒ０が０．６７を目標とした場合は、１０（ｍＪ／ｃｍ２）の照射エネルギー量が必要であると算出する。測定した相関関係データは、必要に応じて積算されて精度をあげていくこともできる。
【０１３３】
また、各色インク間で図７の相関関係データを揃えるようにすることが、半硬化光源１６Ａ〜１６Ｃの照射エネルギーを揃えることができる観点から好ましい。前述のような複数回照射された場合にも条件式（１）を満たすように制御することが容易になる。また、同様な理由により照射エネルギー量の設定はＲ／Ｒ０の下限である０．６〜０．７の範囲内に設定することが好ましい。例えば図７で照射エネルギー量を０．６７に対応する１０（ｍＪ／ｃｍ２）に設定することで３回の照射により３倍の照射エネルギー量を受けてもＲ／Ｒ０の上限である０．９を超えることはなく条件式（１）を満足することができる。
【０１３４】
次にステップＳ１６０において、これらの最適照射エネルギー量がプリント制御部１２０に送られる。プリント制御部１２０は、送られた照射エネルギー量の設定値に対応する半硬化光源１６の発光量を求め、光源制御部１２８を通じてそれぞれの半硬化光源１６Ａ，１６Ｂ，１６Ｃに設定する。
【０１３５】
次にステップＳ１７０において、これらの最適照射エネルギー量を用いて画像記録（プリント）が行われる。また、ステップＳ１１０において、最適照射エネルギー量が存在するとしてステップＳ１２０でこの最適照射エネルギー量を設定した場合も、ステップＳ１７０でプリントが行われる。ただし、大きく条件がはずれていたり、Ｎ数を稼ぐという条件分岐を設定していた場合は、Ｓ１６０で、この最適照射エネルギー量を設定した後にＳ１３０の判定プリントを再度行うようにすることもできる。
【０１３６】
以上のように、本実施形態のインクジェット記録装置によれば、記録媒体上に吐出されて半硬化した第１のインクの上に吐出された第２のインクのドット半径をＲとし、前記第２のインクを前記記録媒体上に直接に吐出させたときのドット半径をＲ０としたとき、前述の条件式（１）を満足することにより、シングルパス方式で高速での多色印刷する場合においても、濃度ムラの発生を低減しつつ、各色インク間でのインク滲みが少なく画質劣化の少ない良好な画像を高速で記録することが可能となる。
【０１３７】
また、半硬化の活性エネルギー線の照射エネルギー量が各々異なる複数の領域を有する第１のインクの画像の上に第２のインクのドット画像を形成させた重ね画像の判定プリントを出力する判定プリント出力手段と、判定プリントに使用された複数種類の照射エネルギー量の最小値と最大値の間で、条件式（１）を満足するように記録時に参照される１つの照射エネルギー量を選択して設定する照射エネルギー量設定手段を備えるので、画像記録時において、前記照射エネルギー量設定手段は判定プリントに基づいて効率的に、簡単な操作で条件式（１）を満足する所定の照射エネルギー量となるように前記半硬化光源の照射エネルギー量を設定するので、所望の画像となるように決定された照射エネルギー量により半硬化された第１のインクの上に第２のインクが重ね合わされて多色画像が記録される。これにより記録媒体やインクの種類が異なったとしても、記録媒体やインクの種類による第２のインクの広がりの異なりが抑制されて、濃度ムラや滲みの少ない所望の多色画像を記録することができる。
【０１３８】
《複数の活性エネルギー線硬化型インク》
次に、本発明に係る活性エネルギー線硬化型インクについて説明する。
【０１３９】
本発明に係る複数の活性エネルギー線硬化型インク（以下、単にインクともいう）は、色相の異なる２種以上のインクからなるインクセットを構成し、かつ少なくとも１種のインクが含有する光重合開始剤群の構成が、他のインクの光重合開始剤群の構成と異なることが好ましい。
【０１４０】
本発明に係るインクセットを構成するインクとしては、イエローインク、マゼンタインク及びシアンインクから選ばれる少なくとも２種であることが好ましく、更にはイエローインク、マゼンタインク、シアンインク及びブラックインクの４種を含むことが好ましい。また、必要に応じて、本発明に係るインクセットでは、淡色インク（例えば、ライトマゼンタインク、ライトシアンインク、ライトブラックインク等）や白色顔料を用いたホワイトインク等を加えた構成であっても良い。
【０１４１】
本発明に係る各活性エネルギー線硬化型インクは、主には、活性エネルギー線重合性化合物（以下、単に重合性化合物ともいう）、光重合開始剤群の構成化合物及び色材から構成される。本発明でいう光重合開始剤群の構成とは、単一の光重合開始剤、複数種の光重合開始剤、光重合開始剤と増感剤との組み合わせ及び光重合開始剤と増感剤と開始助剤との組み合わせをいい、これらの光重合開始剤群の構成が、少なくとも２種のインク間で異なることが好ましい。
【０１４２】
〔活性エネルギー線重合性化合物〕
本発明に係る活性エネルギー線硬化型インクに適用可能な活性エネルギー線重合性化合物としては、ラジカル重合性化合物とカチオン重合性化合物を挙げることができる。特に、カチオン重合系の紫外線硬化型インクはラジカル重合系の紫外線硬化型インクに比べて、半硬化状態となる活性エネルギー線の照射エネルギー量の範囲が広く、照射エネルギー量の設定が容易になるため好ましい。
【０１４３】
（ラジカル重合性化合物）
本発明に適用可能なラジカル重合性化合物は、ラジカル重合可能なエチレン性不飽和結合を有する化合物であり、分子中にラジカル重合可能なエチレン性不飽和結合を少なくとも１つ有する化合物であればどの様なものでもよく、モノマー、オリゴマー、ポリマー等の化学形態をもつものが含まれる。ラジカル重合性化合物は１種のみ用いてもよく、また目的とする特性を向上するために任意の比率で２種以上を併用してもよい。また、単官能化合物よりも官能基を２つ以上持つ多官能化合物の方がより好ましい。更に好ましくは多官能化合物を２種以上併用して用いることが、反応性、物性などの性能を制御する上で好ましい。
【０１４４】
ラジカル重合可能なエチレン性不飽和結合を有する化合物の例としては、アクリル酸、メタクリル酸、イタコン酸、クロトン酸、イソクロトン酸、マレイン酸等の不飽和カルボン酸及びそれらの塩、エステル、ウレタン、アミドや無水物、アクリロニトリル、スチレン、さらに種々の不飽和ポリエステル、不飽和ポリエーテル、不飽和ポリアミド、不飽和ウレタン等のラジカル重合性化合物が挙げられる。具体的には、アクリロイルモルホリン、フェノキシエチルアクリレート、２−ヒドロキシー３−フェノキシプロピルアクリレート、２−エチルヘキシルアクリレート、２−ヒドロキシエチルアクリレート、ブトキシエチルアクリレート、カルビトールアクリレート、シクロヘキシルアクリレート、テトラヒドロフルフリルアクリレート、ベンジルアクリレート、ビス（４−アクリロキシポリエトキシフェニル）プロパン、ＥＯ変性ビスフェノールＡジアクリレート、ポリエチレングリコールジアクリレート、ペンタエリスリトールトリアクリレート、ペンタエリスリトールテトラアクリレート、グリセリンエポキシアクリレート、ネオペンチルグリコールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ポリエチレングリコールジアクリレート、ポリプロピレングリコールジアクリレート、ペンタエリスリトールトリアクリレート、ペンタエリスリトールテトラアクリレート、ジペンタエリスリトールテトラアクリレート、トリメチロールプロパントリアクリレート、テトラメチロールメタンテトラアクリレート、オリゴエステルアクリレート、Ｎ−メチロールアクリルアミド、ジアセトンアクリルアミド、エポキシアクリレート等のアクリル酸誘導体、メチルメタクリレート、ｎ−ブチルメタクリレート、２−エチルヘキシルメタクリレート、ラウリルメタクリレート、アリルメタクリレート、グリシジルメタクリレート、ベンジルメタクリレート、ジメチルアミノメチルメタクリレート、１，６−ヘキサンジオールジメタクリレート、エチレングリコールジメタクリレート、トリエチレングリコールジメタクリレート、ポリエチレングリコールジメタクリレート、ポリプロピレングリコールジメタクリレート、トリメチロールエタントリメタクリレート、トリメチロールプロパントリメタクリレート、２，２−ビス（４−メタクリロキシポリエトキシフェニル）プロパン等のメタクリル誘導体、その他、アリルグリシジルエーテル、ジアリルフタレート、トリアリルトリメリテート等のアリル化合物の誘導体が挙げられ、さらに具体的には、山下晋三編，「架橋剤ハンドブック」、（１９８１年大成社）；加藤清視編，「ＵＶ・ＥＢ硬化ハンドブック（原料編）」（１９８５年、高分子刊行会）；ラドテック研究会編、「ＵＶ・ＥＢ硬化技術の応用と市場」，７９頁，（１９８９年、シーエムシー）；滝山栄一郎著，「ポリエステル樹脂ハンドブック」，（１９８８年、日刊工業新聞社）等に記載の市販品もしくは業界で公知のラジカル重合性ないし架橋性のモノマー、オリゴマー及びポリマーを用いることができる。上記ラジカル重合性化合物の添加量は好ましくは１〜９７質量％であり、より好ましくは３０〜９５質量％である。
【０１４５】
（カチオン重合性化合物）
本発明に適用可能なカチオン重合性化合物としては、例えば、カチオン重合により高分子化することができるエポキシ化合物、オキセタン化合物、ビニルエーテル化合物等を挙げることができる。
【０１４６】
本発明で用いることのできるエポキシ化合物としては、例えば、特開２００１−２２０５２６号、特開２００２−１８８０２５号、特開２００２−３１７１３９号、特開２００３−５５４４９号、特開２００３−７３４８１号公報等に記載の公知のあらゆるエポキシ化合物を用いることができ、少なくとも１個のシクロへキセンまたはシクロペンテン環等のシクロアルカン環を有する化合物を、過酸化水素、過酸等の適当な酸化剤でエポキシ化することによって得られる、シクロヘキセンオキサイドまたはシクロペンテンオキサイド含有化合物が好ましい。
【０１４７】
本発明で用いることのできるオキセタン化合物としては、例えば、特開２００１−２２０５２６号、同２００１−３１０９３７号に紹介されているような公知のあらゆるオキセタン化合物を使用できる。
【０１４８】
本発明で用いることのできるビニルエーテル化合物としては、例えば、エチレングリコールジビニルエーテル、エチレングリコールモノビニルエーテル、ジエチレングリコールジビニルエーテル、トリエチレングリコールモノビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、ヒドロキシエチルモノビニルエーテル、ヒドロキシノニルモノビニルエーテル、トリメチロールプロパントリビニルエーテル等のジ又はトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、オクタデシルビニルエーテル等のモノビニルエーテル化合物等が挙げられる。
【０１４９】
上記重合性化合物の１種を単独で使用してもよいが、２種以上を適宜組み合わせて使用してもよい。
【０１５０】
また、インク色材による遮光効果による感度低下を防ぐ手段として、開始剤寿命の長いカチオン重合性モノマーと開始剤を組み合わせ、ラジカル・カチオンのハイブリッド型硬化インクとすることも可能である。
【０１５１】
〔光重合開始剤群の構成〕
本発明にかかる光重合開始剤群を構成する添加剤としては、ラジカル重合開始剤、カチオン重合開始剤、開始助剤、増感剤等が包含される。これらの光重合開始剤群のインク中への添加量はインク全体の１〜１０質量部が必要となる。
【０１５２】
本発明にかかる光重合開始剤群は公知の様々な化合物を使用することができるが、上記重合性化合物に溶解するものから選択する。
【０１５３】
（光重合開始剤）
〈ラジカル重合開始剤〉
ラジカル重合開始剤としては、特公昭５９−１２８１号、同６１−９６２１号、及び特開昭６０−６０１０４号等の各公報記載のトリアジン誘導体、特開昭５９−１５０４号及び同６１−２４３８０７号等の各公報に記載の有機過酸化物、特公昭４３−２３６８４号、同４４−６４１３号、同４４−６４１３号及び同４７−１６０４号等の各公報並びに米国特許第３，５６７，４５３号明細書に記載のジアゾニウム化合物、米国特許第２，８４８，３２８号、同２，８５２，３７９号及び同２，９４０，８５３号各明細書に記載の有機アジド化合物、特公昭３６−２２０６２号、同３７−１３１０９号、同３８−１８０１５号、同４５−９６１０号等の各公報に記載のオルト−キノンジアジド類、特公昭５５−３９１６２号、特開昭５９−１４０２３号等の各公報及び「マクロモレキュルス（ＭａｃＲｏｍｏｌｅｃｕｌｅｓ）、第１０巻、第１３０７ページ（１９７７年）に記載の各種オニウム化合物、特開昭５９−１４２２０５号公報に記載のアゾ化合物、特開平１−５４４４０号公報、ヨーロッパ特許第１０９，８５１号、同１２６，７１２号等の各明細書、「ジャーナル・オブ・イメージング・サイエンス」（Ｊ．Ｉｍａｇ．Ｓｃｉ．）」、第３０巻、第１７４ページ（１９８６年）に記載の金属アレン錯体、特開平４−２１３８６１号及び同４−２５５３４７号の各公報に記載の（オキソ）スルホニウム有機ホウ素錯体、特開昭６１−１５１１９７号公報に記載のチタノセン類、「コーディネーション・ケミストリー・レビュー（ＣｏｏＲｄｉｎａｎｔｉｏｎ  ＣｈｅｍｉｓｔＲｙ  Ｒｅｖｉｅｗ）」、第８４巻、第８５〜第２７７ページ（１９８８年）及び特開平２−１８２７０１号公報に記載のルテニウム等の遷移金属を含有する遷移金属錯体、特開平３−２０９４７７号公報に記載の２，４，５−トリアリールイミダゾール二量体、四臭化炭素や特開昭５９−１０７３４４号公報記載の有機ハロゲン化合物等が挙げられる。これらの重合開始剤はラジカル重合可能なエチレン不飽和結合を有する化合物１００質量部に対して０．０１〜１０質量部の範囲で含有されるのが好ましい。
【０１５４】
〈カチオン重合開始剤〉
本発明に係る活性エネルギー線硬化型インクにおいては、カチオン重合性化合物と共に、光重合開始剤としてカチオン重合開始剤を含有することが好ましい。
【０１５５】
カチオン重合開始剤としては、具体的には光酸発生剤等を挙げることができ、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。本発明に好適な化合物の例を以下に挙げる。
【０１５６】
第１に、ジアゾニウム、アンモニウム、ヨードニウム、スルホニウム、ホスホニウム等の芳香族オニウム化合物のＢ（Ｃ６Ｆ５）４−、ＰＦ６−、ＡｓＦ６−、ＳｂＦ６−、ＣＦ３ＳＯ３−塩を挙げることができる。
【０１５７】
本発明で用いることのできるオニウム化合物の具体的な例を以下に示す。
【０１５８】
【化１】
2009157262.tif 000003
【０１５９】
第２に、スルホン酸を発生するスルホン化物を挙げることができ、その具体的な化合物を以下に例示する。
【０１６０】
【化２】
2009157262.tif 000004
【０１６１】
第３に、ハロゲン化水素を光発生するハロゲン化物も用いることができ、以下にその具体的な化合物を例示する。
【０１６２】
【化３】
2009157262.tif 000005
【０１６３】
第４に、鉄アレン錯体を挙げることができる。
【０１６４】
【化４】
2009157262.tif 000006
【０１６５】
（増感剤）
本発明に係る活性エネルギー線硬化型インクにおいては、３００ｎｍよりも長波長に紫外線スペクトル吸収を有する増感剤を用いることが好ましく、例えば、置換基として水酸基、置換されていてもよいアラルキルオキシ基またはアルコキシ基を少なくとも１つ有する多環芳香族化合物、カルバゾール誘導体、チオキサントン誘導体等を挙げることができる。
【０１６６】
本発明で用いることのできる多環芳香族化合物としては、ナフタレン誘導体、アントラセン誘導体、クリセン誘導体、フェナントレン誘導体が好ましい。置換基であるアルコキシ基としては、炭素数１〜１８のものが好ましく、特に炭素数１〜８のものが好ましい。アラルキルオキシ基としては、炭素数７〜１０のものが好ましく、特に炭素数７〜８のベンジルオキシ基、フェネチルオキシ基が好ましい。
【０１６７】
本発明に用いることのできるこれらの増感剤を例示すると、カルバゾール、Ｎ−エチルカルバゾール、Ｎ−ビニルカルバゾール、Ｎ−フェニルカルバゾール等のカルバゾール誘導体、１−ナフトール、２−ナフトール、１−メトキシナフタレン、１−ステアリルオキシナフタレン、２−メトキシナフタレン、２−ドデシルオキシナフタレン、４−メトキシ−１−ナフトール、グリシジル−１−ナフチルエーテル、２−（２−ナフトキシ）エチルビニルエーテル、１，４−ジヒドロキシナフタレン、１，５−ジヒドロキシナフタレン、１，６−ジヒドロキシナフタレン、２，７−ジヒドロキシナフタレン、２，７−ジメトキシナフタレン、１，１′−チオビス（２−ナフトール）、１，１′−ビ−２−ナフトール、１，５−ナフチルジグリシジルエーテル、２，７−ジ（２−ビニルオキシエチル）ナフチルエーテル、４−メトキシ−１−ナフトール、ＥＳＮ−１７５（新日鉄化学社製のエポキシ樹脂）またはそのシリーズ、ナフトール誘導体とホルマリンとの縮合体等のナフタレン誘導体、９，１０−ジメトキシアントラセン、２−エチル−９，１０−ジメトキシアントラセン、２−ｔブチル−９，１０−ジメトキシアントラセン、２，３−ジメチル−９，１０−ジメトキシアントラセン、９−メトキシ−１０−メチルアントラセン、９，１０−ジエトキシアントラセン、２−エチル−９，１０−ジエトキシアントラセン、２−ｔブチル−９，１０−ジエトキシアントラセン、２，３−ジメチル−９，１０−ジエトキシアントラセン、９−エトキシ−１０−メチルアントラセン、９，１０−ジプロポキシアントラセン、２−エチル−９，１０−ジプロポキシアントラセン、２−ｔブチル−９，１０−ジプロポキシアントラセン、２，３−ジメチル−９，１０−ジプロポキシアントラセン、９−イソプロポキシ−１０−メチルアントラセン、９，１０−ジベンジルオキシアントラセン、２−エチル−９，１０−ジベンジルオキシアントラセン、２−ｔブチル−９，１０−ジベンジルオキシアントラセン、２，３−ジメチル−９，１０−ジベンジルオキシアントラセン、９−ベンジルオキシ−１０−メチルアントラセン、９，１０−ジ−α−メチルベンジルオキシアントラセン、２−エチル−９，１０−ジ−α−メチルベンジルオキシアントラセン、２−ｔブチル−９，１０−ジ−α−メチルベンジルオキシアントラセン、２，３−ジメチル−９，１０−ジ−α−メチルベンジルオキシアントラセン、９−（α−メチルベンジルオキシ）−１０−メチルアントラセン、９，１０−ジ（２−ヒドロキシエトキシ）アントラセン、２−エチル−９，１０−ジ（２−カルボキシエトキシ）アントラセン等のアントラセン誘導体、１，４−ジメトキシクリセン、１，４−ジエトキシクリセン、１，４−ジプロポキシクリセン、１，４−ジベンジルオキシクリセン、１，４−ジ−α−メチルベンジルオキシクリセン等のクリセン誘導体、９−ヒドロキシフェナントレン、９，１０−ジメトキシフェナントレン、９，１０−ジエトキシフェナントレン等のフェナントレン誘導体等を挙げることができる。これら誘導体の中でも、特に、炭素数１〜４のアルキル基を置換基として有していてもよい９，１０−ジアルコキシアントラセン誘導体が好ましく、アルコキシ基としてはメトキシ基、エトキシ基が好ましい。
【０１６８】
また、チオキサントン誘導体としては、例えば、チオキサントン、２，４−ジメチルチオキサントン、２，４−ジエチルチオキサントン、イソプロピルチオキサントン２−クロロチオキサントン等を挙げることができる。
【０１６９】
（開始助剤）
開始助剤とは、光照射により、電子供与、電子吸引、熱の発生等により開始剤にエネルギーを供与して、開始剤のラジカルまたは酸の発生効率を向上させる増感色素として作用する物質であり、開始剤と組み合わせて適用される。
【０１７０】
開始助剤としては、例えば、キサンテン、チオキサントン色素、ケトクマリン、チオキサンテン色素、シアニン、フタロシアニン、メロシアニン、ポルフィリン、スピロ化合物、フェロセン、フルオレン、フルギド、イミダゾール、ペリレン、フェナジン、フェノチアジン、ポリエン、アゾ化合物、ジフェニルメタン、トリフェニルメタン、ポリメチンアクリジン、クマリン、ケトクマリン、キナクリドン、インジゴ、スチリル、ピリリウム化合物、ピロメテン化合物、ピラゾロトリアゾール化合物、ベンゾチアゾール化合物、バルビツール酸誘導体、チオバルビツール酸誘導体等が適用できる。
【０１７１】
また、開始助剤としては、上述の化合物の他、「高分子添加剤の開発技術」（シーエムシー出版、大勝靖一監修）等の文献で増感色素として作用することが周知になっている物質を適用することとしてもよい。なお、開始助剤は光重合開始剤の一部をなす構成要素とみなすこともできる。
【０１７２】
これらの光開始剤に加え、光重合（硬化）反応を促進するため促進助剤を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等が挙げられる。
【０１７３】
ラジカル重合性組成物に適用されるラジカル重合開始剤と開始助剤との組み合わせの例としては、ラジカル重合開始剤である過酸エステルと開始助剤であるキサンテン、チオキサントン色素、ケトクマリン、チオピリリウム塩との組み合わせ、ラジカル重合開始剤であるジフェニルヨードニウム塩等のオニウム塩と開始助剤であるチオキサンテン色素との組み合わせ等が周知となっている。
【０１７４】
また、ラジカル重合開始剤としてチタノセン類を適用する場合には、チタノセン類をレーザ又はＬＥＤに対応して可視光線から近赤外線まで波長増感させる開始助剤として、例えばシアニン、フタロシアニン、メロシアニン、ポルフィリン、スピロ化合物、フェロセン、フルオレン、フルギド、イミダゾール、ペリレン、フェナジン、フェノチアジン、ポリエン、アゾ化合物、ジフェニルメタン、トリフェニルメタン、ポリメチンアクリジン、クマリン、ケトクマリン、キナクリドン、インジゴ、スチリル、ピリリウム化合物、ピロメテン化合物、ピラゾロトリアゾール化合物、ベンゾチアゾール化合物、バルビツール酸誘導体、チオバルビツール酸誘導体等が適用できる。
【０１７５】
チタノセンと組み合わせて用いる開始助剤としては、更に欧州特許５６８，９９３号、米国特許４，５０８，８１１号、同５，２２７，２２７号、特開２００１−１２５２５５号、特開平１１−２７１９６９号等に記載の化合物も適用可能である。このようなチタノセン類のラジカル重合開始剤と開始助剤との組合せの具体例としては、特開２００１−１２５２５５号、特開平１１−２７１９６９号に記載のある組合せが挙げられる。
【０１７６】
〔色材〕
本発明に係る活性エネルギー線硬化型インクに用いる色材は、顔料あるいは染料を用いることができる。画像の耐候性の観点から、顔料を用いることが好ましい。
【０１７７】
本発明で好ましく用いることのできる顔料を、以下に列挙する。
【０１７８】
Ｃ．Ｉ．Ｐｉｇｍｅｎｔ  Ｙｅｌｌｏｗ  １，２，３，１２，１３，１４，１６，１７，７３，７４，７５，８１，８３，８７，９３，９５，９７，９８，１０９，１１４，１２０，１２８，１２９，１３８，１５０，１５１，１５４，１８０，１８５、
Ｃ．Ｉ．Ｐｉｇｍｅｎｔ  Ｒｅｄ  ５，７，１２，２２，３８，４８：１，４８：２，４８：４，４９：１，５３：１，５７：１，６３：１，１０１，１１２，１２２，１２３，１４４，１４６，１６８，１８４，１８５，２０２、
Ｃ．Ｉ．Ｐｉｇｍｅｎｔ  Ｖｉｏｌｅｔ  １９，２３、
Ｃ．Ｉ．Ｐｉｇｍｅｎｔ  Ｂｌｕｅ  １，２，３，１５：１，１５：２，１５：３，１５：４，１８，２２，２７，２９，６０、
Ｃ．Ｉ．Ｐｉｇｍｅｎｔ  ＧＲｅｅｎ  ７，３６、
Ｃ．Ｉ．Ｐｉｇｍｅｎｔ  Ｗｈｉｔｅ  ６，１８，２１、
Ｃ．Ｉ．Ｐｉｇｍｅｎｔ  Ｂｌａｃｋ  ７。
【０１７９】
上記顔料の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。また、顔料の分散を行う際に、分散剤を添加することも可能である。分散剤としては、高分子分散剤を用いることが好ましく、高分子分散剤としてはＡｖｅｃｉａ社のＳｏｌｓｐｅＲｓｅシリーズや、味の素ファインテクノ社のＰＢシリーズが挙げられる。また、分散助剤として、各種顔料に応じたシナージストを用いることも可能である。これらの分散剤および分散助剤は、顔料１００質量部に対し、１〜５０質量部添加することが好ましい。分散媒体は、溶剤または重合性化合物を用いて行うが、本発明に用いる照射線硬化型インクでは、インク着弾直後に反応・硬化させるため、無溶剤であることが好ましい。溶剤が硬化画像に残ってしまうと、耐溶剤性の劣化、残留する溶剤のＶＯＣの問題が生じる。よって、分散媒体は溶剤では無く重合性化合物、その中でも最も粘度の低いモノマーを選択することが分散適性上好ましい。
【０１８０】
顔料の分散は、顔料粒子の平均粒径を０．０８〜０．２μｍとすることが好ましく、最大粒径は０．３〜１０μｍ、好ましくは０．３〜３μｍとなるよう、顔料、分散剤、分散媒体の選定、分散条件、ろ過条件を適宜設定する。この粒径管理によって、ヘッドノズルの詰まりを抑制し、インクの保存安定性、インク透明性および硬化感度を維持することができる。
【０１８１】
本発明に係るインクにおいては、色材濃度としては、インク全体の１質量％乃至３０質量％であることが好ましい。白以外のインクにおいては１質量％乃至１０質量％が更に好ましい。
【０１８２】
〔その他の添加剤〕
本発明に係るインクには、保存性を高める観点から、重合禁止剤を２００〜２００００ｐｐｍ添加することができる。本発明に係るインクは４０〜８０℃の範囲で加熱、低粘度化して射出することが好ましいので、熱重合によるヘッド詰まりを防ぐためにも重合禁止剤を入れることが好ましい。
【０１８３】
この他に、必要に応じて界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類を添加することができる。
【０１８４】
２５℃における粘度は、着弾後の液滴の定着のしやすさから２５ｍＰａ・ｓ以上５００ｍＰａ・ｓ以下が好ましく、吐出時の駆動電圧、安定性から吐出時の粘度は８ｍＰａ・ｓ以上２０ｍＰａ・ｓ以下が好ましい。インクの自由表面張力は３０ｍＮ／ｍ以下が着弾後の後退が少なく線の輪郭の描画性が良く好ましい。
【０１８５】
記録媒体との接触角は、液寄りによる着弾後の後退が少なく線の輪郭の描画性が良く、かつ記録媒体での定着しやすさから、前述のように１０〜３０°が好ましい。
【０１８６】
本実施形態においては、紫外線を照射することにより硬化するインクを用いて画像記録を行うものとしたが、インクは必ずしもこれには限定されず、例えば、電子線、Ｘ線、可視光線、赤外線等の電磁波といった紫外線以外の活性化エネルギー線を照射することにより硬化するインクであってもよい。この場合、インクには、紫外線以外の活性化エネルギー線で重合して硬化する重合性化合物と、紫外線以外の活性化エネルギー線で重合性化合物同士の重合反応を開始させる光開始剤とが適用される。また、紫外線以外の活性化エネルギー線で硬化する光硬化性のインクを用いる場合は、紫外線光源に代えて、その活性化エネルギー線を照射する光源を適用する。
【０１８７】
また、インクジェットヘッド１２のインク滴の吐出方式としては、電気−機械変換方式（例えば、シングルキャビティー型、ダブルキャビティー型、ベンダー型、ピストン型、シェアモード型、シェアードウォール型等）、電気−熱変換方式（例えば、サーマルインクジェット型、バブルジェット（登録商標）型等）、静電吸引方式（例えば、電界制御型、スリットジェット型等）及び放電方式（例えば、スパークジェット型等）等を具体的な例として挙げることができる。本発明はいずれの吐出方式であってもよいが、特開２００４−１２２７６０号に記載されているようなシェアモード型が特に好ましい。駆動波形としては圧力室の容積を膨張させて所定時間保持した後に元に戻し、引き続いて容積を収縮させて所定時間保持した後に元に戻す、所謂ＤＲＲ駆動法が好ましい。
【０１８８】
次に、本実施形態に用いられる「記録媒体」について説明する。
【０１８９】
本実施形態に用いられる記録媒体としては、通常のインクジェット記録装置に適用される普通紙，再生紙，光沢紙等の各種紙，各種布地，各種不織布，樹脂，金属，ガラス等の材質からなる記録媒体が適用可能である。記録媒体の形態としては、ロール状、カットシート状、板状等が適用可能である。さらに、本実施形態に用いられる記録媒体として、樹脂により記録面を被覆した各種紙，顔料を含むフィルム，発泡フィルム等の不透明な公知の記録媒体も適用可能である。
【０１９０】
また、本発明の構成上、特にその効果が顕著に発揮される「インクを実質的に非吸収性の記録媒体」の目安としては、下記の２つの基準：
１）記録媒体への深さにインクの２μｍより深い浸透がないこと、
２）記録媒体の表面に噴射された５０ｐＬの小滴の２０％より多くが記録媒体中に５秒内に消失しないこと、
の少なくとも１つを満足する場合を意味する。記録媒体が上記基準のいずれか又は両方の中に含まれるかどうかを決定するために、当業者は標準分析法を使用することができる。例えば、記録媒体表面にインクを噴射した後、記録媒体の切片を採取しそして透過型電子顕微鏡により検査して、インクの浸透深さが２μｍより大きいかどうか、消失していないかを決定することができる。このように適当な分析法を適宜とることができる。
【０１９１】
次に、本実施形態に用いられるインクを実質的に非吸水性の記録媒体の例としては、アート紙、合成樹脂、ゴム、樹脂コート紙、ガラス、金属、陶器及び表面加工済みの木材等が挙げられる。また本発明においては、機能付加の目的で、これら材質を複数組み合わせて複合化した記録媒体も使用できる。実質的に記録媒体の印刷表面から下側に浸透していくインク量が少ないものを言い、市場で一般的にＵＶ硬化インクを印刷するような支持体も含む。
【０１９２】
前記合成樹脂としては、いかなる合成樹脂や印刷用に加工された樹脂フィルムも使用可能であるが、例えば、ポリエチレンテレフタレート、ポリブタジエンテレフタレート等のポリエステル、ポリ塩化ビニル、ポリスチレン、ポリエチレン、ポリウレタン、ポリプロピレン等のポリオレフィン、アクリル樹脂、ポリカーボネート、アクリロニトリル−ブタジエン−スチレン共重合体等、ジアセテート、トリアセテート、ポリイミド、セロハン、セルロイド等が挙げられる。合成樹脂を用いた場合の被記録媒体の厚みや形状としては、特に限定されるものではなく、フィルム状、ラベル状、カード状、ブロック状のいずれの形状でもよく、また透明又は不透明のいずれであってもよい。
【０１９３】
前記合成樹脂の使用形態としては、いわゆる軟包装に用いられるフィルム状にして用いることも好ましく、各種非吸収性のプラスチックス及びそのフィルムを用いることができる。プラスチックスフィルムとしては、例えば、ＰＥＴフィルム、ＯＰＳフィルム、ＯＰＰフィルム、ＰＮｙフィルム、ＰＶＣフィルム、ＰＥフィルム、ＴＡＣフィルム、ＰＰフィルム等が挙げられる。その他プラスチックスとしては、ポリカーボネート、アクリル樹脂、ＡＢＳ、ポリアセタール、ＰＶＡ、ゴム類などを使用できる。
【０１９４】
前記樹脂コート紙としては、例えば、透明ポリエステルフィルム、不透明ポリエステルフィルム、不透明ポリオレフィン樹脂フィルム及び紙の両面をポリオレフィン樹脂でラミネートした紙支持体等が挙げられる。特に好ましいのは、紙の両面をポリオレフィン樹脂でラミネートした紙支持体である。また合成紙系でいえばユポ、ピーチコート、カレル、オーバー紙なども当たる。
【０１９５】
前記金属としては、特に制限はなく、例えば、アルミニウム、鉄、金、銀、銅、ニッケル、チタン、クロム、モリブデン、シリコン、鉛、亜鉛等及びステンレス等、並びにこれらの複合材料が好適である。
【０１９６】
また更に、ＣＤ−ＲＯＭ、ＤＶＤ−ＲＯＭ等の読み出し専用光ディスク、ＣＤ−Ｒ、ＤＶＤ−Ｒ等の追記型光ディスク、更には書き換え型光ディスク等を用いることも可能であり、レーベル面側にインクジェット記録することができる。
【実施例】
【０１９７】
以下、本発明の効果を実施例に基づいて例証するが、本発明はこれらに限定されるものではない。
＜インク＞
インクとしてカチオン重合系の紫外線硬化型インクを用いた。粘度はＹ、Ｍ、Ｃ、Ｋ各色５ｍＰａ・ｓと１０ｍＰａ・ｓ（５０℃における測定値）、表面張力は約２８ｄｙｎ／ｃｍ２（２５℃における測定値）であった。【０１９８】
なお、以下の実験結果において「部」あるいは「％」の表示を用いるが、特に断りがない限り「質量部」あるいは「質量％」を表す。【０１９９】
《分散液の調製》
〔分散液Ａの調製〕
下記の各化合物をステンレスビーカーに入れ、６５℃のホットプレート上で加熱しながら１時間加熱撹拌溶解した。【０２００】
ＰＢ８２１（味の素ファインテクノ社製分散剤）                  ９部
ＯＸＴ２２１（東亜合成社製オキセタン化合物）                ７１部
室温まで冷却した後、これにＰｉｇｍｅｎｔ  Ｂｌａｃｋ  ７（三菱化学社製＃５２）を２０部加えて、直径０．３ｍｍのジルコニアビーズ２００ｇと共にガラス瓶に入れ密栓し、ペイントシェーカーにて４時間分散処理した後、ジルコニアビーズを除去し、分散液Ａを調製した。【０２０１】
〔分散液Ｂ〜Ｄの調製〕
上記分散液Ａの調製において、顔料をＰｉｇｍｅｎｔ  Ｂｌａｃｋ  ７に代えて、それぞれＰｉｇｍｅｎｔ  Ｂｌｕｅ  １５：４（山陽色素社製Ｃｙａｎｉｎｅ  Ｂｌｕｅ  ４０４４）、Ｐｉｇｍｅｎｔ  Ｒｅｄ  １２２（大日精化社製ＣＦＲ３２１）、Ｐｉｇｍｅｎｔ  Ｙｅｌｌｏｗ  １８０（大日精化社製ＣＦＹ３１３−２）を用いた以外は同様にして、分散液Ｂ、分散液Ｃ、分散液Ｄを調製した。【０２０２】
《インクセットの調製》
〔インクセットの調製〕
上記調製した分散液Ａ〜Ｄ（カチオン重合性化合物）を用いて、表１に記載の構成からなるインクＫ、Ｃ、Ｍ及びＹを調製し、これをインクセットとした。【０２０３】
【表１】
2009157262.tif 000007
【０２０４】
なお、上記表１に記載の数値は、質量部を表す。【０２０５】
また、表１に略称で記載の化合物の詳細は、以下の通りである。【０２０６】
〈カチオン重合性化合物〉
２０２１Ｐ：セロキザイド２０２１Ｐ（脂環式エポキシ化合物、二官能、ダイセル化学工業社製）
ＯＸＴ２１２：単官能オキセタン化合物、東亞合成社製
ＯＸＴ２２１：二官能オキセタン化合物、東亞合成社製
〈変性シリコーンオイル〉
ＳＤＸ−１８４３：変性シリコーンオイルＳＤＸ−１８４３、旭電化工業社製
〈光重合開始剤〉
ＵＶＩ６９９２：トリアリールスルホニウム塩、ＵＶＩ６９９２、ダウケミカル社製
〈増感剤〉
ＣＰＴＸ：１−クロロ−４−プロポキシチオキサントン
ＡＨＣ：３−アセチル−７−ヒドロキシクマリン
＜記録媒体＞
記録媒体としては、リンテック社製のユポ（ＵＶ）ＰＡ−Ｔ１を用いた。
＜インクジェットヘッド＞
ヘッドはシェアモードタイプのヘッド（ＡＬ＝３μｓｅｃ、ノズルピッチ：１８０ｄｐｉ、ノズル数：２５６、ノズルテーパー角６度、ノズル直径２６μｍ、インク滴量：７ｐｌ）を各色で２つ用意した。各ヘッドのノズル列が、相互に１／２ピッチずらされ、千鳥状に配置するように貼り合わせ各ヘッドのそれぞれが１８０ｄｐｉのヘッドであるので、ノズルのピッチを互いに１／２ずらせることで、３６０ｄｐｉの記録ヘッドを作製した。評価はＤＲＲ駆動波形を用い３Ｃｙｃｌｅ駆動で駆動周期２２ｋＨｚで射出した。
＜インクジェット記録装置＞
上記シェアモードタイプのヘッドを備えた図１に記載の構成からなるシングルパス方式のインクジェット記録装置に、上記インクを装填し、搬送速度２００ｍｍ／ｓｅｃで搬送される上記記録媒体へ、インクを吐出し画像形成した。【０２０７】
硬化用のエネルギー照射としては、半硬化用の半硬化光源１６Ａ〜１６Ｄに低圧水銀灯、完全硬化用の完全硬化光源１８に高圧水銀灯を用いた。半硬化光源１６Ｄの照射エネルギー量は１０ｍＪ／ｃｍ２、完全硬化光源１８の照射エネルギー量は３００ｍＪ／ｃｍ２とした。【０２０８】
《画像形成と評価》
（実施例１〜４、比較例１〜３）
下記に示すように形成した各画像について、下記に示す各評価を行った。
＜濃度ムラ＞
まず、Ｃインクのベタ画像を３６０ｄｐｉで直接に上記記録媒体に印刷し、それを半硬化光源１６Ｃで照射エネルギー量を３ｍＪ〜１０００ｍＪ／ｃｍ２の範囲で変化させて半硬化させ、その後にＫインクでベタ画像を印刷した後に定着、完全硬化をしてＣ＋Ｋの２色重ねのベタ画像を作成し、Ｋ画像の濃度ムラを調べた。【０２０９】
判断基準は以下の通りである。△でも実用上問題ないが○が好ましい。【０２１０】
○：発生比率が５％未満
△：発生比率が５〜１０％
×：発生比率が１０％を超え評価不可
＜滲み＞
まず、Ｃインクのベタ画像を３６０ｄｐｉで直接に上記記録媒体に印刷し、それを半硬化光源１６Ｃで照射エネルギー量を３ｍＪ〜１０００ｍＪ／ｃｍ２の範囲で変化させて半硬化させ、その後にＫインクで文字、線を印刷した後に定着、完全硬化をして画像を作成し、滲みの有無を目視評価した。【０２１１】
なお、判断基準は以下の通りである。△でも実用上問題ないが○が好ましい。【０２１２】
○：発生比率が５％未満
△：発生比率が５〜１０％
×：発生比率が１０％を超え評価不可
＜総合評価＞
本発明の趣旨から以下の滲み、濃度ムラの両立性を評価した。【０２１３】
なお、判断基準は以下の通りである。△でも実用上問題ないが○以上が好ましい。【０２１４】
◎：滲み、濃度ムラどちらも○以上
○：どちらかが△で、片方が○
△：両方△
×：×がひとつある
＜Ｒ０、Ｒ＞
図３に示すようなＲ０判定パターンをＫインクで作成し、完全硬化後のＫインクのドット半径Ｒ０を調べた。図４に示すようなＲ判定パターンをＣインクとＫインクで作成し、完全硬化後のＫインクのドット半径Ｒを調べた。半硬化光源１６Ｃの照射エネルギー量は、濃度ムラ、滲みの評価と同様に３ｍＪ〜１０００ｍＪ／ｃｍ２の範囲で変化させて半硬化させた。
（実施例５）
Ｒ０、Ｒの判定プリントを印刷した後に、制御部に目標のＲ／Ｒ０＝０．６７と設定して自動で制御した。まず、実施例２のインクを用いて、Ｒ０，Ｒの判定用プリントを印刷し、それを自動で判定プリント測定部２００Ａのマイクロスコープで撮影し、Ｒ０，Ｒおよびその比を測定した。その後に図７に示す半硬化の照射エネルギー量とＲ／Ｒ０の関係を得た。そして自動的に半硬化の照射エネルギー量を１０ｍＪ／ｃｍ２を設定し、実施例２と同様の評価を行った。
（実施例６）
Ｒ０、Ｒの判定用プリントを印刷し、それをスキャナーで読み取って、Ｒ０，Ｒおよびその比を測定する以外は実施礼５と同様に行った。その後に図７に示す半硬化の照射エネルギー量とＲ／Ｒ０の関係を得た。そして自動的に半硬化の照射エネルギー量を１０ｍＪ／ｃｍ２を設定し、実施例２と同様の評価を行った。【０２１５】
評価結果を表２に示す。【０２１６】
【表２】
2009157262.tif 000008
【０２１７】
表２に明らかなように、条件式（１）を満足する実施例１〜６は、濃度ムラ・滲みによる画質劣化の少ない良好な印字品質・画質を得ることができ、極めて優れた結果が得られた。【０２１８】
自動で照射エネルギー量の設定を行った実施例５、６についても問題なく本発明の効果を確認できた。【０２１９】
なお、Ｙ＋Ｍ（半硬化光源１６Ａ）、Ｍ＋Ｃ（半硬化光源１６Ｂ）など他の色の組み合わせについても同様の評価を行ったが、濃度ムラ・滲みについての相違はなく、本発明の効果を確認できた。
【符号の説明】
【０２２０】
１０  インクジェット記録装置
１２Ｙ、１２Ｃ、１２Ｍ、１２Ｋ  ヘッド
１４  インク貯蔵／装填部
１６，１６Ａ、１６Ｂ、１６Ｃ，１６Ｄ  半硬化光源
１８  完全硬化光源
２０  記録媒体
２２  給紙部
２６  吸着ベルト搬送部
３２  マガジン
【図１】
2009157262.tif 000009
【図２】
2009157262.tif 000010
【図３】
2009157262.tif 000011
【図４】
2009157262.tif 000012
【図５】
2009157262.tif 000013
【図６】
2009157262.tif 000014
【図７】
2009157262.tif 000015
【国際調査報告】
2009157262.tif 000016
2009157262.tif 000017
2009157262.tif 000018
2009157262.tif 000019